(57)【要約】表示装置は、発光部３０及び発光部３０から出射された光が通過するレンズ部材５０を含む発光素子１０を、複数、備えた表示パネルを有し、発光部３０の中心を通る法線ＬＮとレンズ部材５０の中心を通る法線ＬＮ’との間の距離（オフセット量）をＤ0としたとき、表示パネルに備えられた発光素子１０の少なくとも一部において、距離（オフセット量）Ｄ0の値は０でない。
2020111101.tif 000002
【特許請求の範囲】
【請求項１】
発光部、及び、
発光部から出射された光が通過するレンズ部材、
を含む発光素子を、複数、備えた表示パネルを有する表示装置であって、
発光部の中心を通る法線とレンズ部材の中心を通る法線との間の距離をＤ0としたとき、表示パネルに備えられた発光素子の少なくとも一部において、距離Ｄ0の値は０でない表示装置。
【請求項２】
基準点が想定されており、距離Ｄ0は基準点から発光部の中心を通る法線までの距離Ｄ1に依存する請求項１に記載の表示装置。
【請求項３】
基準点は表示パネル内に想定されている請求項１に記載の表示装置。
【請求項４】
基準点は、表示パネルの中心領域に位置していない請求項３に記載の表示装置。
【請求項５】
複数の基準点が想定されている請求項３に記載の表示装置。
【請求項６】
基準点が１つ想定されている場合、基準点は表示パネルの中心領域には含まれず、基準点が複数想定されている場合、少なくとも１つの基準点は表示パネルの中心領域には含まれない請求項３に記載の表示装置。
【請求項７】
基準点は表示パネルの外側に想定されている請求項１に記載の表示装置。
【請求項８】
複数の基準点が想定されている請求項７に記載の表示装置。
【請求項９】
各発光素子から出射され、レンズ部材を通過した光は、表示装置の外部の空間の或る領域に収束する請求項１に記載の表示装置。
【請求項１０】
各発光素子から出射され、レンズ部材を通過した光は、表示装置の外部の空間において発散する請求項１に記載の表示装置。
【請求項１１】
各発光素子から出射され、レンズ部材を通過した光は、平行光である請求項１に記載の表示装置。
【請求項１２】
基準点が設定されており、
複数の発光素子は、第１の方向及び第１の方向とは異なる第２の方向に配列されており、
基準点から発光部の中心を通る法線までの距離をＤ1とし、距離Ｄ0の第１の方向及び第２の方向のそれぞれの値をＤ0-X，Ｄ0-Yとし、距離Ｄ1の第１の方向及び第２の方向のそれぞれの値をＤ1-X，Ｄ1-Yとしたとき、
Ｄ1-Xの変化に対してＤ0-Xは線形に変化し、Ｄ1-Yの変化に対してＤ0-Yは線形に変化し、又は、
Ｄ1-Xの変化に対してＤ0-Xは線形に変化し、Ｄ1-Yの変化に対してＤ0-Yは非線形に変化し、又は、
Ｄ1-Xの変化に対してＤ0-Xは非線形に変化し、Ｄ1-Yの変化に対してＤ0-Yは線形に変化し、又は、
Ｄ1-Xの変化に対してＤ0-Xは非線形に変化し、Ｄ1-Yの変化に対してＤ0-Yは非線形に変化する請求項１に記載の表示装置。
【請求項１３】
基準点が設定されており、
基準点から発光部の中心を通る法線までの距離をＤ1としたとき、距離Ｄ1の値が増加するに従い、距離Ｄ0の値が増加する請求項１に記載の表示装置。
【請求項１４】
レンズ部材の光入射側又は光出射側には、カラーフィルタ層が設けられている請求項１に記載の表示装置。
【請求項１５】
レンズ部材の正射影像は、カラーフィルタ層の正射影像と一致し、又は、カラーフィルタ層の正射影像に含まれる請求項１４に記載の表示装置。
【請求項１６】
距離Ｄ0の値が０でない発光素子において、カラーフィルタ層の中心を通る法線と、発光部の中心を通る法線とは一致している請求項１４に記載の表示装置。
【請求項１７】
距離Ｄ0の値が０でない発光素子において、カラーフィルタ層の中心を通る法線と、レンズ部材の中心を通る法線とは一致している請求項１４に記載の表示装置。
【請求項１８】
隣接する発光素子のカラーフィルタ層の間には光吸収層が形成されている請求項１４に記載の表示装置。
【請求項１９】
隣接するレンズ部材の間には光吸収層が形成されている請求項１に記載の表示装置。
【請求項２０】
発光素子に備えられた発光部は、有機エレクトロルミネッセンス層を含む請求項１に記載の表示装置。
【発明の詳細な説明】
【技術分野】
【０００１】
本開示は、発光素子を複数備えた表示装置に関する。
【背景技術】
【０００２】
近年、発光素子として有機電界発光（ＥＬ：Electroluminescence）素子を用いた表示装置（有機ＥＬディスプレイ）の開発が進んでいる。この表示装置では、例えば、画素毎に分離して形成された第１電極（下部電極）の上に、少なくとも発光層を含む有機層、及び、第２電極（上部電極）が形成されている。そして、例えば、白色を発光する有機層と赤色カラーフィルタとが組み合わされた赤色発光素子、白色を発光する有機層と緑色カラーフィルタとが組み合わされた緑色発光素子、白色を発光する有機層と青色カラーフィルタとが組み合わされた青色発光素子のそれぞれが、副画素として設けられ、これらの副画素から１画素が構成されている。【０００３】
そして、視野角変化に伴う色ずれを少なくするために、各発光素子に設けられるカラーフィルタの膜厚に応じてレンズ部材の形状を異ならせる技術が、特開２０１３−１２０７３１号公報から周知である。
【先行技術文献】
【特許文献】
【０００４】
【特許文献１】特開２０１３−１２０７３１号公報
【発明の概要】
【発明が解決しようとする課題】
【０００５】
しかしながら、上記の特許公開公報には、表示装置における発光素子の位置に依存して、発光層から出射され、レンズ部材を経由した光の進む方向を制御する技術に関して、何ら言及されていない。即ち、外部の空間のどの領域に向けて表示装置からの画像を、どのような状態で出射するかに関して、何ら言及されていない。【０００６】
従って、本開示の目的は、外部の空間のどの領域に向けて表示装置からの画像をどのような状態で出射するかを、確実に、且つ、的確に、制御し得る構成、構造の表示装置を提供することにある。
【課題を解決するための手段】
【０００７】
上記の目的を達成するための本開示の表示装置は、
発光部、及び、
発光部から出射された光が通過するレンズ部材（オンチップマイクロレンズ）、
を含む発光素子を、複数、備えた表示パネルを有する表示装置であって、
発光部の中心を通る法線とレンズ部材の中心を通る法線との間の距離（オフセット量）をＤ0としたとき、表示パネルに備えられた発光素子の少なくとも一部において、距離（オフセット量）Ｄ0の値は０でない。
【図面の簡単な説明】
【０００８】
【図１】図１は、実施例１の表示装置を構成する発光素子（但し、基準点内に位置する）の模式的な一部断面図である。
【図２】図２は、実施例１の表示装置を構成する発光素子（但し、基準点から離れて位置する）の模式的な一部断面図である。
【図３】図３Ａ及び図３Ｂは、実施例１の表示装置における発光素子と基準点との位置関係を示す模式図である。
【図４】図４Ａ、図４Ｂ、図４Ｃ及び図４Ｄは、Ｄ1-Xの変化に対するＤ0-Xの変化、Ｄ1-Yの変化に対するＤ0-Yの変化を模式的に示す図である。
【図５】図５Ａ、図５Ｂ、図５Ｃ及び図５Ｄは、Ｄ1-Xの変化に対するＤ0-Xの変化、Ｄ1-Yの変化に対するＤ0-Yの変化を模式的に示す図である。
【図６】図６Ａ、図６Ｂ、図６Ｃ及び図６Ｄは、Ｄ1-Xの変化に対するＤ0-Xの変化、Ｄ1-Yの変化に対するＤ0-Yの変化を模式的に示す図である。
【図７】図７Ａ、図７Ｂ、図７Ｃ及び図７Ｄは、Ｄ1-Xの変化に対するＤ0-Xの変化、Ｄ1-Yの変化に対するＤ0-Yの変化を模式的に示す図である。
【図８】図８Ａ及び図８Ｂは、実施例１の表示装置における発光部、カラーフィルタ層及びレンズ部材の配置関係の一例を模式的に示す図である。
【図９】図９Ａは、距離Ｄ0を変えたときの光線角度θ（単位：度）と光量（輝度）との関係をシミュレーションした結果を示すグラフであり、図９Ｂは、従来の表示装置の場合と比較して、光量（輝度）の増加を示すグラフである。
【図１０】図１０は、実施例１の表示装置の変形例−１を構成する発光素子（但し、基準点から離れて位置する）の模式的な一部断面図である。
【図１１】図１１は、実施例１の表示装置の変形例−２を構成する発光素子（但し、基準点から離れて位置する）の模式的な一部断面図である。
【図１２】図１２Ａ及び図１２Ｂは、実施例２の表示装置における発光素子と基準点との位置関係を模式的に示す図である。
【図１３】図１３は、実施例３の表示装置を構成する発光素子（但し、基準点内に位置する）の模式的な一部断面図である。
【図１４】図１４は、実施例３の表示装置を構成する発光素子（但し、基準点から離れて位置する）の模式的な一部断面図である。
【図１５】図１５は、実施例４の表示装置を構成する発光素子（但し、基準点内に位置する）の模式的な一部断面図である。
【図１６】図１６は、実施例４の表示装置を構成する発光素子（但し、基準点から離れて位置する）の模式的な一部断面図である。
【図１７】図１７は、実施例１の表示装置の変形例−３を構成する発光素子（但し、基準点内に位置する）の模式的な一部断面図である。
【図１８】図１８は、実施例１の表示装置の変形例−３を構成する発光素子（但し、基準点から離れて位置する）の模式的な一部断面図である。
【図１９】図１９は、実施例１の表示装置の変形例−４を構成する発光素子（但し、基準点内に位置する）の模式的な一部断面図である。
【図２０】図２０は、実施例１の表示装置の変形例−４を構成する発光素子（但し、基準点から離れて位置する）の模式的な一部断面図である。
【図２１】図２１は、実施例３の表示装置の変形例−１を構成する発光素子（但し、基準点から離れて位置する）の模式的な一部断面図である。
【図２２】図２２Ａ、図２２Ｂ、図２２Ｃ及び図２２Ｄは、実施例１の表示装置における発光素子の配列を模式的に示す図である。
【図２３】図２３Ａ及び図２３Ｂ、並びに、図２３Ｃ及び図２３Ｄは、実施例１の表示装置における第２電極とカラーフィルタ層の配置関係を模式的に示す図である。
【図２４】図２４Ａ、図２４Ｂ及び図２４Ｃは、図１に示した実施例１の発光素子におけるレンズ部材の製造方法を説明するための基体等の模式的な一部端面図である。
【図２５】図２５は、実施例５の頭部装着型ディスプレイを構成する画像表示装置の概念図である。
【図２６】図２６は、実施例５の頭部装着型ディスプレイを上方から眺めた模式図である。
【図２７】図２７は、実施例５の頭部装着型ディスプレイを正面から眺めた模式図である。
【図２８】図２８Ａ及び図２８Ｂは、それぞれ、実施例５の頭部装着型ディスプレイを側方から眺めた模式図、及び、実施例５の頭部装着型ディスプレイにおける反射型体積ホログラム回折格子の一部を拡大して示す模式的な断面図である。
【図２９】図２９Ａ及び図２９Ｂは、本開示の表示装置をレンズ交換式ミラーレスタイプのデジタルスチルカメラに適用した例を示し、デジタルスチルカメラの正面図を図２９Ａに、背面図を図２９Ｂに示す。
【図３０】図３０Ａ、図３０Ｂ及び図３０Ｃは、発光部の中心を通る法線ＬＮと、レンズ部材の中心を通る法線ＬＮ’と、波長選択部の中心を通る法線ＬＮ”との関係を説明するための概念図である。
【図３１】図３１は、発光部の中心を通る法線ＬＮと、レンズ部材の中心を通る法線ＬＮ’と、波長選択部の中心を通る法線ＬＮ”との関係を説明するための概念図である。
【図３２】図３２Ａ及び図３２Ｂは、発光部の中心を通る法線ＬＮと、レンズ部材の中心を通る法線ＬＮ’と、波長選択部の中心を通る法線ＬＮ”との関係を説明するための概念図である。
【図３３】図３３は、発光部の中心を通る法線ＬＮと、レンズ部材の中心を通る法線ＬＮ’と、波長選択部の中心を通る法線ＬＮ”との関係を説明するための概念図である。
【図３４】図３４Ａ及び図３４Ｂは、共振器構造を有する第１例及び第２例の発光素子の概念図である。
【図３５】図３５Ａ及び図３５Ｂは、共振器構造を有する第３例及び第４例の発光素子の概念図である。
【図３６】図３６Ａ及び図３６Ｂは、共振器構造を有する第５例及び第６例の発光素子の概念図である。
【図３７】図３７Ａは、共振器構造を有する第７例の発光素子の概念図であり、図３７Ｂ及び図３７Ｃは、共振器構造を有する第８例の発光素子の概念図である。
【発明を実施するための形態】
【０００９】
以下、図面を参照して、実施例に基づき本開示を説明するが、本開示は実施例に限定されるものではなく、実施例における種々の数値や材料は例示である。尚、説明は、以下の順序で行う。
１．本開示の表示装置、全般に関する説明
２．実施例１（表示装置）
３．実施例２（実施例１の変形）
４．実施例３（実施例１〜実施例２の変形）
５．実施例４（実施例１〜実施例２の別の変形）
６．実施例５（実施例１〜実施例４の表示装置を頭部装着型ディスプレイに適用した例）
７．その他
【００１０】
〈本開示の表示装置、全般に関する説明〉
本開示の表示装置にあっては、基準点（基準領域）が想定されており、距離Ｄ0は基準点（基準領域）から発光部の中心を通る法線までの距離Ｄ1に依存する形態とすることができる。尚、基準点（基準領域）は或る程度の広がりを含み得る。
【００１１】
ここで、各種の法線は、表示パネルの光出射面に対する垂直線である。また、後述する各種の正射影像は、表示パネルの光出射面に対する正射影像である。
【００１２】
上記の好ましい形態を含む本開示の表示装置において、基準点は表示パネル内に想定されている構成とすることができ、この場合、基準点は表示パネルの中心領域に位置していない構成とすることができるし、あるいは又、基準点は表示パネルの中心領域に位置している構成とすることができるし、更には、これらの場合、１つの基準点が想定されている構成とすることができるし、あるいは又、複数の基準点が想定されている構成とすることができる。そして、これらの場合、一部の発光素子において距離Ｄ0の値は０であり、残りの発光素子において距離Ｄ0の値は０でない構成とすることができる。
【００１３】
あるいは又、上記の好ましい形態を含む本開示の表示装置において、基準点が１つ想定されている場合、基準点は表示パネルの中心領域には含まれない構成とすることができるし、あるいは又、基準点は表示パネルの中心領域に含まる構成とすることができる。また、基準点が複数想定されている場合、少なくとも１つの基準点は表示パネルの中心領域には含まれない構成とすることができる。
【００１４】
あるいは又、上記の好ましい形態を含む本開示の表示装置において、基準点は表示パネルの外側（外部）に想定されている構成とすることができ、この場合、１つの基準点が想定されている構成とすることができるし、あるいは又、複数の基準点が想定されている構成とすることができる。そして、これらの場合、全ての発光素子において距離Ｄ0の値は０でない構成とすることができる。
【００１５】
更には、以上に説明した好ましい形態、構成を含む本開示の表示装置において、各発光素子から出射され、レンズ部材を通過した光は、表示装置の外部の空間の或る領域に収束する（集光される）形態とすることができるし、あるいは又、各発光素子から出射され、レンズ部材を通過した光は、表示装置の外部の空間において発散する形態とすることができるし、あるいは又、各発光素子から出射され、レンズ部材を通過した光は、平行光である形態とすることができる。
【００１６】
更には、以上に説明した好ましい形態、構成を含む本開示の表示装置にあっては、発光素子が表示パネルに占める位置に応じて距離（オフセット量）Ｄ0の値が異なる形態とすることができる。具体的には、
基準点が設定されており、
複数の発光素子は、第１の方向及び第１の方向とは異なる第２の方向に配列されており、
基準点から発光部の中心を通る法線までの距離をＤ1とし、距離Ｄ0の第１の方向及び第２の方向のそれぞれの値をＤ0-X，Ｄ0-Yとし、距離Ｄ1の第１の方向及び第２の方向のそれぞれの値をＤ1-X，Ｄ1-Yとしたとき、
Ｄ1-Xの変化に対してＤ0-Xは線形に変化し、Ｄ1-Yの変化に対してＤ0-Yは線形に変化し、又は、
Ｄ1-Xの変化に対してＤ0-Xは線形に変化し、Ｄ1-Yの変化に対してＤ0-Yは非線形に変化し、又は、
Ｄ1-Xの変化に対してＤ0-Xは非線形に変化し、Ｄ1-Yの変化に対してＤ0-Yは線形に変化し、又は、
Ｄ1-Xの変化に対してＤ0-Xは非線形に変化し、Ｄ1-Yの変化に対してＤ0-Yは非線形に変化する形態とすることができる。
【００１７】
あるいは又、以上に説明した好ましい形態、構成を含む本開示の表示装置において、
基準点が設定されており、
基準点から発光部の中心を通る法線までの距離をＤ1としたとき、距離Ｄ1の値が増加するに従い、距離Ｄ0の値が増加する形態とすることができる。
【００１８】
ここで、Ｄ1-Xの変化に対してＤ0-Xは線形に変化し、Ｄ1-Yの変化に対してＤ0-Yは線形に変化するとは、
Ｄ0-X＝ｋX・Ｄ1-X
Ｄ0-Y＝ｋY・Ｄ1-Y
が成立することを意味する。但し、ｋX，ｋYは定数である。即ち、Ｄ0-X，Ｄ0-Yは、１次関数に基づき変化する。一方、Ｄ1-Xの変化に対してＤ0-Xは非線形に変化し、Ｄ1-Yの変化に対してＤ0-Yは線形に変化するとは、
Ｄ0-X＝ｆX（Ｄ1-X）
Ｄ0-Y＝ｆY（Ｄ1-Y）
が成立することを意味する。ここで、ｆX，ｆYは、１次関数ではない関数（例えば、２次関数）である。
【００１９】
あるいは又、Ｄ1-Xの変化に対するＤ0-Xの変化、Ｄ1-Yの変化に対するＤ0-Yの変化を、階段状の変化とすることもできる。そして、この場合、階段状の変化を全体として眺めたとき、変化が線形に変化する形態とすることもできるし、変化が非線形に変化する形態とすることもできる。更には、表示パネルをＭ×Ｎの領域に区分したとき、１つの領域内では、Ｄ1-Xの変化に対するＤ0-Xの変化、Ｄ1-Yの変化に対するＤ0-Yの変化を、不変としてもよいし、一定の変化としてもよい。１つの領域内の発光素子の数として、限定するものではないが、１０×１０を挙げることができる。
【００２０】
更には、以上に説明した好ましい形態、構成を含む本開示の表示装置において、レンズ部材の光入射側又は光出射側には波長選択部が設けられている形態とすることができ、この場合、レンズ部材の正射影像は、波長選択部の正射影像と一致し、又は、波長選択部の正射影像に含まれる形態とすることができる。後者の構成を採用することで、隣接した発光素子間における混色の発生を確実に抑制することができる。更には、これらの場合、距離Ｄ0の値が０でない発光素子において、
（ａ）波長選択部の中心を通る法線と、発光部の中心を通る法線とは一致している形態
（ｂ）波長選択部の中心を通る法線と、レンズ部材の中心を通る法線とは一致している形態
（ｃ）波長選択部の中心を通る法線と、発光部の中心を通る法線とは一致しておらず、波長選択部の中心を通る法線と、レンズ部材の中心を通る法線とは一致していない形態
とすることができる。（ｂ）あるいは（ｃ）後者の構成を採用することで、隣接した発光素子間における混色の発生を確実に抑制することができる。尚、波長選択部の中心とは、波長選択部が占める領域の面積重心点を指す。あるいは又、波長選択部の平面形状が、円形、楕円形、正方形、長方形、正多角形の場合、これらの図形の中心が波長選択部の中心に該当するし、これらの図形の一部が切り欠かれた図形である場合、切り欠かれた部分を補完した図形の中心が波長選択部の中心に該当するし、これらの図形が連結された図形である場合、連結部分を除去し、除去した部分を補完した図形の中心が波長選択部の中心に該当する。更には、これらの場合、隣接する発光素子の波長選択部の間には光吸収層（ブラックマトリクス層）が形成されている形態とすることができ、これによって、隣接した発光素子間における混色の発生を確実に抑制することができる。波長選択部は、例えば、カラーフィルタ層から構成することができ、カラーフィルタ層は、所望の顔料や染料から成る着色剤を添加した樹脂によって構成されており、顔料や染料を選択することにより、目的とする赤色、緑色、青色等の波長域における光透過率が高く、他の波長域における光透過率が低くなるように調整されている。あるいは又、波長選択部は、フォトニック結晶や、プラズモンを応用した波長選択素子（導体薄膜に格子状の穴構造を設けた導体格子構造を有するカラーフィルタ層。例えば、特開２００８−１７７１９１号公報参照）、アモルファスシリコン等の無機材料から成る薄膜、量子ドットから構成することもできる。以下、カラーフィルタ層で波長選択部を代表して説明を行うが、波長選択部はカラーフィルタ層に限定するものではない。尚、発光素子が出射する光に対応して、波長選択部（例えば、カラーフィルタ層）の大きさを、適宜、変えてもよいし、隣接する発光素子の波長選択部（例えば、カラーフィルタ層）の間に光吸収層（ブラックマトリクス層）が設けられている場合、発光素子が出射する光に対応して、光吸収層（ブラックマトリクス層）の大きさを、適宜、変えてもよい。
【００２１】
更には、以上に説明した好ましい形態、構成を含む本開示の表示装置において、隣接するレンズ部材の間には光吸収層（ブラックマトリクス層）が形成されている形態とすることができ、これによっても、隣接した発光素子間における混色の発生を確実に抑制することができる。
【００２２】
これらの光吸収層（ブラックマトリクス層）は、例えば、黒色の着色剤を混入した光学濃度が１以上の黒色の樹脂膜（具体的には、例えば、黒色のポリイミド系樹脂）から成り、あるいは又、薄膜の干渉を利用した薄膜フィルタから構成されている。薄膜フィルタは、例えば、金属、金属窒化物あるいは金属酸化物から成る薄膜を２層以上積層して成り、薄膜の干渉を利用して光を減衰させる。薄膜フィルタとして、具体的には、Ｃｒと酸化クロム（ＩＩＩ）（Ｃｒ2Ｏ3）とを交互に積層したものを挙げることができる。
【００２３】
更には、以上に説明した好ましい形態、構成を含む本開示の表示装置において、発光素子に備えられた発光部は、有機エレクトロルミネッセンス層を含む形態とすることができる。即ち、以上に説明した各種の好ましい形態、構成を含む本開示の表示装置は有機エレクトロルミネッセンス表示装置（有機ＥＬ表示装置）から構成されている形態とすることができるし、発光素子は有機エレクトロルミネッセンス素子（有機ＥＬ素子）から構成されている形態とすることができる。あるいは又、発光部は発光ダイオード（ＬＥＤ）を含む形態とすることができる。
【００２４】
レンズ部材の中心を通る法線は、レンズ部材の光軸と一致している。レンズ部材は、半球状、あるいは、球の一部から構成されている形態とすることができるし、あるいは、切頭円錐形（レンズ部材の光軸を含む仮想平面でレンズ部材を切断したときに得られるレンズ部材の断面形状が台形である立体形状）から構成されている形態とすることができるし、レンズ部材の光軸を含む仮想平面でレンズ部材を切断したときに得られるレンズ部材の断面形状が矩形（正方形や長方形）である形態とすることができ、広くは、レンズとして機能するのに適した形状から構成されている形態とすることができる。レンズ部材（オンチップマイクロレンズ）は、例えば、アクリル系樹脂やエポキシ系樹脂、ポリカーボネート樹脂、ポリイミド系樹脂等の透明樹脂材料、ＳｉＯ2等の透明無機材料から構成することができ、透明樹脂材料を、メルトフローさせることで得ることができるし、あるいは又、エッチバックすることで得ることができるし、あるいは又、グレートーンマスクを用いたフォトリソグラフィ技術とエッチング法の組合せで得ることができるし、ナノプリント法に基づき透明樹脂材料をレンズ形状に形成するといった方法によって得ることもできる。カラーフィルタ層とレンズ部材の間に、レンズ部材と同様の材料で平坦化膜を形成してもよい。
【００２５】
本開示の表示装置において、画素（あるいは副画素）の配列として、デルタ配列を挙げることができるし、あるいは又、ストライプ配列、ダイアゴナル配列、レクタングル配列、ペンタイル配列を挙げることができる。波長選択部の配列も、画素（あるいは副画素）の配列に準拠して、デルタ配列、あるいは又、ストライプ配列、ダイアゴナル配列、レクタングル配列、ペンタイル配列とすればよい。
【００２６】
表示装置は、例えば、パーソナルコンピュータを構成するモニタ装置として使用することができるし、テレビジョン受像機や携帯電話、ＰＤＡ（携帯情報端末，Personal Digital Assistant）、ゲーム機器に組み込まれたモニタ装置、プロジェクタに組み込まれた表示装置として使用することができる。あるいは又、電子ビューファインダ（Electronic View Finder，ＥＶＦ）や頭部装着型ディスプレイ（Head Mounted Display，ＨＭＤ）に適用することができるし、ＶＲ（Virtual Reality）用、ＭＲ（Mixed Reality）用、あるいは、ＡＲ（Augmented Reality）用の表示装置に適用することができる。あるいは又、電子ブック、電子新聞等の電子ペーパー、看板、ポスター、黒板等の掲示板、プリンター用紙代替のリライタブルペーパー、家電製品の表示部、ポイントカード等のカード表示部、電子広告、電子ＰＯＰにおける画像表示装置を構成することができる。本開示の表示装置を発光装置として使用し、液晶表示装置用のバックライト装置や面状光源装置を含む各種照明装置を構成することができる。
【００２７】
頭部装着型ディスプレイは、例えば、
（イ）観察者の頭部に装着されるフレーム、及び、
（ロ）フレームに取り付けられた画像表示装置、
を備えており、
画像表示装置は、
（Ａ）本開示の表示装置を備えた画像形成装置、及び、
（Ｂ）画像形成装置から出射された光が入射され、出射される光学装置、
を備えており、
光学装置は、
（Ｂ−１）画像形成装置（具体的には、本開示の表示装置）から入射された光が内部を全反射により伝播した後、観察者に向けて出射される導光板、
（Ｂ−２）導光板に入射された光が導光板の内部で全反射されるように、導光板に入射された光を偏向させる第１偏向手段（例えば、体積ホログラム回折格子から構成されている）、及び、
（Ｂ−３）導光板の内部を全反射により伝播した光を導光板から出射させるために、導光板の内部を全反射により伝播した光を複数回に亙り偏向させる第２偏向手段（例えば、体積ホログラム回折格子から構成されている）、
を備えている。
【００２８】
あるいは又、頭部装着型ディスプレイは、例えば、直接、画像（光束）を観察者の網膜に投影することにより画像を表示する、マクスウェル視に基づく網膜投影型ディスプレイ、具体的には網膜投影型ヘッドマウントディスプレイとすることもできる。
【００２９】
以下、発光素子に備えられた発光部が有機エレクトロルミネッセンス層を含む形態に関して、即ち、本開示の表示装置が有機エレクトロルミネッセンス表示装置（有機ＥＬ表示装置）から構成されている形態に関して、説明を行う。
【００３０】
表示装置は、
第１基板、及び、第２基板、並びに、
第１基板と第２基板との間に位置し、２次元状に配列された複数の発光素子、
を備えており、
発光素子は発光部を含み、
第１基板の上に形成された基体上に設けられた発光部は、
第１電極、
第２電極、及び、
第１電極と第２電極とによって挟まれた有機層（有機エレクトロルミネッセンス層を含む発光層を含む）、
を少なくとも備えており、
有機層からの光が、第２基板を介して外部に出射され、あるいは又、第１基板を介して外部に出射される。
【００３１】
即ち、本開示の表示装置を、第２基板から光を出射するトップエミッション方式（上面発光方式）の表示装置（上面発光型表示装置）とすることもできるし、第１基板から光を出射するボトムエミッション方式（下面発光方式）の表示装置（下面発光型表示装置）とすることもできる。
【００３２】
発光部は、上述したとおり、第１電極、有機層及び第２電極から構成されている。発光部の中心とは、第１基板側の電極と有機層とが接する領域（発光領域）の面積重心点を指す。第１基板側の電極が有機層の一部と接している構成とすることができるし、有機層が第１基板側の電極の一部と接している構成とすることができる。具体的には、第１基板側の電極の大きさは有機層よりも小さい構成とすることができるし、あるいは又、第１基板側の電極の大きさは有機層と同じ大きさであるが、第１基板側の電極と有機層との間の一部分に絶縁層が形成されている構成とすることもできるし、あるいは又、第１基板側の電極の大きさは有機層より大きい構成とすることもできる。
【００３３】
そして、有機層は白色光を出射する形態とすることができ、この場合、有機層は、異なる色を発光する少なくとも２層の発光層から構成されている形態とすることができる。具体的には、有機層は、赤色（波長：６２０ｎｍ乃至７５０ｎｍ）を発光する赤色発光層、緑色（波長：４９５ｎｍ乃至５７０ｎｍ）を発光する緑色発光層、及び、青色（波長：４５０ｎｍ乃至４９５ｎｍ）を発光する青色発光層の３層が積層された積層構造を有する形態とすることができ、全体として白色を発光する。あるいは又、有機層は、青色を発光する青色発光層、及び、黄色を発光する黄色発光層の２層が積層された構造とすることができ、全体として白色を発光する。あるいは又、有機層は、青色を発光する青色発光層、及び、橙色を発光する橙色発光層の２層が積層された構造とすることができ、全体として白色を発光する。有機層は、複数の発光素子において共通化されていてもよいし、各発光素子において個別に設けられていてもよい。そして、このような白色を発光する有機層（発光部）と赤色カラーフィルタ層（あるいは赤色カラーフィルタ層として機能する平坦化層）とを組み合わせることで赤色発光素子が構成され、白色を発光する有機層（発光部）と緑色カラーフィルタ層（あるいは緑色カラーフィルタ層として機能する平坦化層）とを組み合わせることで緑色発光素子が構成され、白色を発光する有機層（発光部）と青色カラーフィルタ層（あるいは青色カラーフィルタ層として機能する平坦化層）とを組み合わせることで青色発光素子が構成される。平坦化層については、後述する。上述したとおり、赤色発光素子、緑色発光素子及び青色発光素子といった副画素の組合せによって１画素が構成される。場合によっては、赤色発光素子、緑色発光素子、青色発光素子及び白色（あるいは第４の色）を出射する発光素子（あるいは補色光を出射する発光素子）によって１画素を構成してもよい。また、単色の画像を生成する表示装置とすることもできる。異なる色を発光する少なくとも２層の発光層から構成されている形態にあっては、実際には、異なる色を発光する発光層が混合し、明確に各層に分離されていない場合がある。
【００３４】
あるいは又、有機層は、１層の発光層から構成されている形態とすることができる。この場合、発光素子を、例えば、赤色発光層を含む有機層を有する赤色発光素子、緑色発光層を含む有機層を有する緑色発光素子、あるいは、青色発光層を含む有機層を有する青色発光素子から構成することができる。カラー表示の表示装置の場合、これらの３種類の発光素子（副画素）から１画素が構成される。あるいは又、赤色発光層を含む有機層を有する赤色発光素子、緑色発光層を含む有機層を有する緑色発光素子、及び、青色発光層を含む有機層を有する青色発光素子の積層構造から構成することもできる。尚、カラーフィルタ層の形成は、原則、不要であるが、色純度向上のためにカラーフィルタ層を設けてもよい。
【００３５】
基体は第１基板の上あるいは上方に形成されている。基体を構成する材料として、絶縁材料、例えば、ＳｉＯ2、ＳｉＮ、ＳｉＯＮを例示することができる。基体は、基体を構成する材料に適した形成方法、具体的には、例えば、各種ＣＶＤ法、各種塗布法、スパッタリング法や真空蒸着法を含む各種ＰＶＤ法、スクリーン印刷法といった各種印刷法、メッキ法、電着法、浸漬法、ゾル−ゲル法等の公知の方法に基づき形成することができる。
【００３６】
基体の下あるいは下方には、限定するものではないが、発光素子駆動部が設けられている。発光素子駆動部は、例えば、第１基板を構成するシリコン半導体基板に形成されたトランジスタ（具体的には、例えば、ＭＯＳＦＥＴ）や、第１基板を構成する各種基板に設けられた薄膜トランジスタ（ＴＦＴ）から構成されている。発光素子駆動部を構成するトランジスタやＴＦＴと第１基板側の電極とは、基体等に形成されたコンタクトホール（コンタクトプラグ）を介して接続されている形態とすることができる。発光素子駆動部は、周知の回路構成とすることができる。第２基板側の電極は、表示パネルの外周部において、基体等に形成されたコンタクトホール（コンタクトプラグ）を介して発光素子駆動部と接続される。
【００３７】
第１基板側の電極は、各発光素子毎に設けられている。有機層は、各発光素子毎に設けられており、あるいは又、発光素子に共通して設けられている。第２基板側の電極は、複数の発光素子において共通電極とされていてもよい。即ち、第２基板側の電極は、所謂ベタ電極とされていてもよい。基体の下方あるいは下には第１基板が配置されており、第２電極の上方に第２基板が配置されている。第１基板側に発光素子が形成されており、発光部は基体上に設けられている。
【００３８】
第１基板あるいは第２基板を、シリコン半導体基板、高歪点ガラス基板、ソーダガラス（Ｎａ2Ｏ・ＣａＯ・ＳｉＯ2）基板、硼珪酸ガラス（Ｎａ2Ｏ・Ｂ2Ｏ3・ＳｉＯ2）基板、フォルステライト（２ＭｇＯ・ＳｉＯ2）基板、鉛ガラス（Ｎａ2Ｏ・ＰｂＯ・ＳｉＯ2）基板、表面に絶縁材料層が形成された各種ガラス基板、石英基板、表面に絶縁材料層が形成された石英基板、ポリメチルメタクリレート（ポリメタクリル酸メチル，ＰＭＭＡ）やポリビニルアルコール（ＰＶＡ）、ポリビニルフェノール（ＰＶＰ）、ポリエーテルスルホン（ＰＥＳ）、ポリイミド、ポリカーボネート、ポリエチレンテレフタレート（ＰＥＴ）、ポリエチレンナフタレート（ＰＥＮ）に例示される有機ポリマー（高分子材料から構成された可撓性を有するプラスチックフィルムやプラスチックシート、プラスチック基板といった高分子材料の形態を有する）から構成することができる。第１基板と第２基板を構成する材料は、同じであっても、異なっていてもよい。但し、上面発光型表示装置の場合、第２基板は発光素子からの光に対して透明であることが要求されるし、下面発光型表示装置の場合、第１基板は発光素子からの光に対して透明であることが要求される。
【００３９】
第１電極を構成する材料として、第１電極をアノード電極として機能させる場合、例えば、白金（Ｐｔ）、金（Ａｕ）、銀（Ａｇ）、クロム（Ｃｒ）、タングステン（Ｗ）、ニッケル（Ｎｉ）、銅（Ｃｕ）、鉄（Ｆｅ）、コバルト（Ｃｏ）、タンタル（Ｔａ）といった仕事関数の高い金属あるいは合金（例えば、銀を主成分とし、０．３質量％乃至１質量％のパラジウム（Ｐｄ）と０．３質量％乃至１質量％の銅（Ｃｕ）とを含むＡｇ−Ｐｄ−Ｃｕ合金や、Ａｌ−Ｎｄ合金、Ａｌ−Ｃｕ合金、Ａｌ−Ｃｕ−Ｎｉ合金）を挙げることができる。更には、アルミニウム（Ａｌ）及びアルミニウムを含む合金等の仕事関数の値が小さく、且つ、光反射率の高い導電材料を用いる場合には、適切な正孔注入層を設けるなどして正孔注入特性を向上させることで、アノード電極として用いることができる。第１電極の厚さとして、０．１μｍ乃至１μｍを例示することができる。あるいは又、後述する光反射層を設ける場合、発光素子からの光に対して透明であることが第１電極には要求されるので、第１電極を構成する材料として、酸化インジウム、インジウム−錫酸化物（ＩＴＯ，Indium Tin Oxide，ＳｎドープのＩｎ2Ｏ3、結晶性ＩＴＯ及びアモルファスＩＴＯを含む）、インジウム−亜鉛酸化物（ＩＺＯ，Indium Zinc Oxide）、インジウム−ガリウム酸化物（ＩＧＯ）、インジウム・ドープのガリウム−亜鉛酸化物（ＩＧＺＯ，Ｉｎ−ＧａＺｎＯ4）、ＩＦＯ（ＦドープのＩｎ2Ｏ3）、ＩＴｉＯ（ＴｉドープのＩｎ2Ｏ3）、ＩｎＳｎ、ＩｎＳｎＺｎＯ、酸化錫（ＳｎＯ2）、ＡＴＯ（ＳｂドープのＳｎＯ2）、ＦＴＯ（ＦドープのＳｎＯ2）、酸化亜鉛（ＺｎＯ）、酸化アルミニウム・ドープの酸化亜鉛（ＡＺＯ）、ガリウム・ドープの酸化亜鉛（ＧＺＯ）、ＢドープのＺｎＯ、ＡｌＭｇＺｎＯ（酸化アルミニウム及び酸化マグネシウム・ドープの酸化亜鉛）、酸化アンチモン、酸化チタン、ＮｉＯ、スピネル型酸化物、ＹｂＦｅ2Ｏ4構造を有する酸化物、ガリウム酸化物、チタン酸化物、ニオブ酸化物、ニッケル酸化物等を母層とする透明導電性材料といった各種透明導電材料を挙げることができる。あるいは又、誘電体多層膜やアルミニウム（Ａｌ）あるいはその合金（例えば、Ａｌ−Ｃｕ−Ｎｉ合金）といった光反射性の高い反射膜上に、インジウムとスズの酸化物（ＩＴＯ）や、インジウムと亜鉛の酸化物（ＩＺＯ）等の正孔注入特性に優れた透明導電材料を積層した構造とすることもできる。一方、第１電極をカソード電極として機能させる場合、仕事関数の値が小さく、且つ、光反射率の高い導電材料から構成することが望ましいが、アノード電極として用いられる光反射率の高い導電材料に適切な電子注入層を設けるなどして電子注入特性を向上させることで、カソード電極として用いることもできる。
【００４０】
第２電極を構成する材料（半光透過材料あるいは光透過材料）として、第２電極をカソード電極として機能させる場合、発光光を透過し、しかも、有機層（発光層）に対して電子を効率的に注入できるように仕事関数の値の小さな導電材料から構成することが望ましく、例えば、アルミニウム（Ａｌ）、銀（Ａｇ）、マグネシウム（Ｍｇ）、カルシウム（Ｃａ）、ナトリウム（Ｎａ）、ストロンチウム（Ｓｒ）、アルカリ金属又はアルカリ土類金属と銀（Ａｇ）［例えば、マグネシウム（Ｍｇ）と銀（Ａｇ）との合金（Ｍｇ−Ａｇ合金）］、マグネシウム−カルシウムとの合金（Ｍｇ−Ｃａ合金）、アルミニウム（Ａｌ）とリチウム（Ｌｉ）の合金（Ａｌ−Ｌｉ合金）等の仕事関数の小さい金属あるいは合金を挙げることができ、中でも、Ｍｇ−Ａｇ合金が好ましく、マグネシウムと銀との体積比として、Ｍｇ：Ａｇ＝５：１〜３０：１を例示することができる。あるいは又、マグネシウムとカルシウムとの体積比として、Ｍｇ：Ｃａ＝２：１〜１０：１を例示することができる。第２電極の厚さとして、４ｎｍ乃至５０ｎｍ、好ましくは、４ｎｍ乃至２０ｎｍ、より好ましくは６ｎｍ乃至１２ｎｍを例示することができる。あるいは又、Ａｇ−Ｎｄ−Ｃｕ、Ａｇ−Ｃｕ、Ａｕ及びＡｌ−Ｃｕから成る群から選択された少なくとも１種類の材料を挙げることができる。あるいは又、第２電極を、有機層側から、上述した材料層と、例えばＩＴＯやＩＺＯから成る所謂透明電極（例えば、厚さ３×１０-8ｍ乃至１×１０-6ｍ）との積層構造とすることもできる。第２電極に対して、アルミニウム、アルミニウム合金、銀、銀合金、銅、銅合金、金、金合金等の低抵抗材料から成るバス電極（補助電極）を設け、第２電極全体として低抵抗化を図ってもよい。第２電極の平均光透過率は５０％乃至９０％、好ましくは６０％乃至９０％であることが望ましい。一方、第２電極をアノード電極として機能させる場合、必要に応じて発光光を透過し、しかも、仕事関数の値の大きな導電材料から構成することが望ましい。
【００４１】
第１電極や第２電極の形成方法として、例えば、電子ビーム蒸着法や熱フィラメント蒸着法、真空蒸着法を含む蒸着法、スパッタリング法、化学的気相成長法（ＣＶＤ法）やＭＯＣＶＤ法、イオンプレーティング法とエッチング法との組合せ；スクリーン印刷法やインクジェット印刷法、メタルマスク印刷法といった各種印刷法；メッキ法（電気メッキ法や無電解メッキ法）；リフトオフ法；レーザアブレーション法；ゾル・ゲル法等を挙げることができる。各種印刷法やメッキ法によれば、直接、所望の形状（パターン）を有する第１電極や第２電極を形成することが可能である。尚、有機層を形成した後、第２電極を形成する場合、特に真空蒸着法のような成膜粒子のエネルギーが小さな成膜方法、あるいは又、ＭＯＣＶＤ法といった成膜方法に基づき形成することが、有機層のダメージ発生を防止するといった観点から好ましい。有機層にダメージが発生すると、リーク電流の発生による「滅点」と呼ばれる非発光画素（あるいは非発光副画素）が生じる虞がある。
【００４２】
有機層は有機発光材料を含む発光層を備えているが、具体的には、例えば、正孔輸送層と発光層と電子輸送層との積層構造、正孔輸送層と電子輸送層を兼ねた発光層との積層構造、正孔注入層と正孔輸送層と発光層と電子輸送層と電子注入層との積層構造等から構成することができる。有機層の形成方法として、真空蒸着法等の物理的気相成長法（ＰＶＤ法）；スクリーン印刷法やインクジェット印刷法といった印刷法；転写用基板上に形成されたレーザ吸収層と有機層の積層構造に対してレーザを照射することでレーザ吸収層上の有機層を分離して、有機層を転写するといったレーザ転写法、各種の塗布法を例示することができる。有機層を真空蒸着法に基づき形成する場合、例えば、所謂メタルマスクを用い、係るメタルマスクに設けられた開口を通過した材料を堆積させることで有機層を得ることができる。
【００４３】
発光素子と発光素子との間に遮光部を設けてもよい。遮光部を構成する遮光材料として、具体的には、チタン（Ｔｉ）やクロム（Ｃｒ）、タングステン（Ｗ）、タンタル（Ｔａ）、アルミニウム（Ａｌ）、ＭｏＳｉ2等の光を遮光することができる材料を挙げることができる。遮光部は、電子ビーム蒸着法や熱フィラメント蒸着法、真空蒸着法を含む蒸着法、スパッタリング法、ＣＶＤ法やイオンプレーティング法等によって形成することができる。
【００４４】
第２基板側の電極を覆うように保護層が形成されていることが好ましい。また、保護層上あるいは上方にレンズ部材が形成されている形態、あるいは又、保護層上あるいは上方にカラーフィルタ層が形成され、カラーフィルタ層上あるいは上方にレンズ部材が形成されている形態、あるいは又、保護層上あるいは上方にレンズ部材が形成され、レンズ部材上あるいは上方にカラーフィルタ層が形成されている形態とすることができる。そして、これらの上に更に平坦化層が形成されている形態とすることができる。前述したとおり、カラーフィルタ層として機能する平坦化層を設けてもよい。
【００４５】
保護層や平坦化層を構成する材料として、アクリル系樹脂を例示することができるし、ＳｉＯ2、ＳｉＮ、ＳｉＯＮ、ＳｉＣ、アモルファスシリコン（α−Ｓｉ）、Ａｌ2Ｏ3、ＴｉＯ2を例示することもできる。保護層や平坦化層は、単層構成とすることもできるし、複数層から構成することもできる。保護層や平坦化層の形成方法として、各種ＣＶＤ法、各種塗布法、スパッタリング法や真空蒸着法を含む各種ＰＶＤ法、スクリーン印刷法といった各種印刷法等の公知の方法に基づき形成することができる。また、保護層や平坦化層の形成方法として、更には、ＡＬＤ（Atomic Layer Deposition）法を採用することもできる。保護層や平坦化層は、複数の発光素子において共通化されていてもよいし、各発光素子において個別に設けられていてもよい。
【００４６】
平坦化層と第２基板とは、例えば、樹脂層（封止樹脂層）を介して接合される。樹脂層（封止樹脂層）を構成する材料として、アクリル系接着剤、エポキシ系接着剤、ウレタン系接着剤、シリコーン系接着剤、シアノアクリレート系接着剤といった熱硬化型接着剤や、紫外線硬化型接着剤を挙げることができる。樹脂層（封止樹脂層）が平坦化層を兼用していてもよい。
【００４７】
上述したとおり、場合によっては、平坦化層はカラーフィルタ層としての機能を有する形態とすることもできる。このような平坦化層は、周知のカラーレジスト材料から構成すればよい。白色を出射する発光素子にあっては透明なフィルタを配設すればよい。このように平坦化層をカラーフィルタ層としても機能させることで、有機層と平坦化層（カラーフィルタ層）とが近接するので、発光素子から出射する光を広角化させても混色の防止を効果的に図ることができ、視野角特性が向上する。但し、カラーフィルタ層を、平坦化層とは別に、独立して、平坦化層上あるいは上方、平坦化層の下あるいは下方に設けてもよい。
【００４８】
表示パネルの光を出射する最外面（具体的には、例えば、第２基板の外面）には、紫外線吸収層、汚染防止層、ハードコート層、帯電防止層を形成してもよいし、保護部材（例えば、カバーガラス）を配してもよい。
【００４９】
表示パネルにおいては、絶縁層や層間絶縁層が形成されるが、これらを構成する絶縁材料として、ＳｉＯ2、ＮＳＧ（ノンドープ・シリケート・ガラス）、ＢＰＳＧ（ホウ素・リン・シリケート・ガラス）、ＰＳＧ、ＢＳＧ、ＡｓＳＧ、ＳｂＳＧ、ＰｂＳＧ、ＳＯＧ（スピンオングラス）、ＬＴＯ（Low Temperature Oxide、低温ＣＶＤ−ＳｉＯ2）、低融点ガラス、ガラスペースト等のＳｉＯX系材料（シリコン系酸化膜を構成する材料）；ＳｉＯＮ系材料を含むＳｉＮ系材料；ＳｉＯＣ；ＳｉＯＦ；ＳｉＣＮを挙げることができる。あるいは又、酸化チタン（ＴｉＯ2）、酸化タンタル（Ｔａ2Ｏ5）、酸化アルミニウム（Ａｌ2Ｏ3）、酸化マグネシウム（ＭｇＯ）、酸化クロム（ＣｒＯx）、酸化ジルコニウム（ＺｒＯ2）、酸化ニオブ（Ｎｂ2Ｏ5）、酸化スズ（ＳｎＯ2）、酸化バナジウム（ＶＯx）といった無機絶縁材料を挙げることができる。あるいは又、ポリイミド系樹脂、エポキシ系樹脂、アクリル系樹脂といった各種樹脂や、ＳｉＯＣＨ、有機ＳＯＧ、フッ素系樹脂といった低誘電率絶縁材料（例えば、誘電率ｋ（＝ε／ε0）が例えば３．５以下の材料であり、具体的には、例えば、フルオロカーボン、シクロパーフルオロカーボンポリマー、ベンゾシクロブテン、環状フッ素系樹脂、ポリテトラフルオロエチレン、アモルファステトラフルオロエチレン、ポリアリールエーテル、フッ化アリールエーテル、フッ化ポリイミド、アモルファスカーボン、パリレン（ポリパラキシリレン）、フッ化フラーレン）を挙げることができるし、Ｓｉｌｋ（The Dow Chemical Co. の商標であり、塗布型低誘電率層間絶縁膜材料）、Ｆｌａｒｅ（Honeywell Electronic Materials Co. の商標であり、ポリアリルエーテル（ＰＡＥ）系材料）を例示することもできる。そして、これらを、単独あるいは適宜組み合わせて使用することができる。場合によっては、基体を、以上に説明した材料から構成してもよい。絶縁層や層間絶縁層、基体は、各種ＣＶＤ法、各種塗布法、スパッタリング法や真空蒸着法を含む各種ＰＶＤ法、スクリーン印刷法といった各種印刷法、メッキ法、電着法、浸漬法、ゾル−ゲル法等の公知の方法に基づき形成することができる。
【００５０】
有機ＥＬ表示装置は、更に一層の光取出し効率の向上を図るために、共振器構造を有することが好ましい。具体的には、第１電極と有機層との界面（あるいは、第１電極の下に層間絶縁層が設けられ、層間絶縁層の下に光反射層が設けられた構造にあっては、光反射層と層間絶縁層との界面によって構成された界面）によって構成された第１界面と、第２電極と有機層との界面によって構成された第２界面との間で、発光層で発光した光を共振させて、その一部を第２電極から出射させる。そして、発光層の最大発光位置から第１界面までの光学距離をＯＬ1、発光層の最大発光位置から第２界面までの光学距離をＯＬ2とし、ｍ1及びｍ2を整数としたとき、以下の式（１−１）及び式（１−２）を満たす構成とすることができる。
【００５１】
０．７｛−Φ1／（２π）＋ｍ1｝≦２×ＯＬ1／λ≦１．２｛−Φ1／（２π）＋ｍ1｝              （１−１）
０．７｛−Φ2／（２π）＋ｍ2｝≦２×ＯＬ2／λ≦１．２｛−Φ2／（２π）＋ｍ2｝              （１−２）
ここで、
λ ：発光層で発生した光のスペクトルの最大ピーク波長（あるいは又、発光層で発生した光の内の所望の波長）
Φ1：第１界面で反射される光の位相シフト量（単位：ラジアン）。但し、−２π＜Φ1≦０
Φ2：第２界面で反射される光の位相シフト量（単位：ラジアン）。但し、−２π＜Φ2≦０
である。
【００５２】
ここで、ｍ1の値は０以上の値であり、ｍ2の値は、ｍ1の値と独立して、０以上の値であるが、（ｍ1，ｍ2）＝（０，０）である形態、（ｍ1，ｍ2）＝（０，１）である形態、（ｍ1，ｍ2）＝（１，０）である形態、（ｍ1，ｍ2）＝（１，１）である形態を例示することができる。
【００５３】
発光層の最大発光位置から第１界面までの距離Ｌ1とは、発光層の最大発光位置から第１界面までの実際の距離（物理的距離）を指し、発光層の最大発光位置から第２界面までの距離Ｌ2とは、発光層の最大発光位置から第２界面までの実際の距離（物理的距離）を指す。また、光学距離とは、光路長とも呼ばれ、一般に、屈折率ｎの媒質中を距離Ｌだけ光線が通過したときのｎ×Ｌを指す。以下においても、同様である。従って、平均屈折率をｎaveとしたとき、
ＯＬ1＝Ｌ1×ｎave
ＯＬ2＝Ｌ2×ｎave
の関係がある。ここで、平均屈折率ｎaveとは、有機層（あるいは、有機層、第１電極及び層間絶縁層）を構成する各層の屈折率と厚さの積を合計し、有機層（あるいは、有機層、第１電極及び層間絶縁層）の厚さで除したものである。
【００５４】
発光層で発生した光の内の所望の波長λ（具体的には、例えば、赤色の波長、緑色の波長、青色の波長）を決定し、式（１−１）及び式（１−２）に基づき発光素子におけるＯＬ1，ＯＬ2等の各種パラメータを求めて、発光素子を設計すればよい。
【００５５】
第１電極又は光反射層及び第２電極は入射した光の一部を吸収し、残りを反射する。従って、反射される光に位相シフトが生じる。この位相シフト量Φ1，Φ2は、第１電極又は光反射層及び第２電極を構成する材料の複素屈折率の実数部分と虚数部分の値を、例えばエリプソメータを用いて測定し、これらの値に基づく計算を行うことで求めることができる（例えば、"Principles of Optic", Max Born and Emil Wolf, 1974 (PERGAMON PRESS) 参照）。有機層や層間絶縁層等の屈折率も、あるいは又、第１電極が入射した光の一部を吸収し、残りを反射する場合、第１電極の屈折率も、エリプソメータを用いて測定することで求めることができる。
【００５６】
光反射層を構成する材料として、アルミニウム、アルミニウム合金（例えば、Ａｌ−ＮｄやＡｌ−Ｃｕ）、Ａｌ／Ｔｉ積層構造、Ａｌ−Ｃｕ／Ｔｉ積層構造、クロム（Ｃｒ）、銀（Ａｇ）、銀合金（例えば、Ａｇ−Ｃｕ、Ａｇ−Ｐｄ−Ｃｕ、Ａｇ−Ｓｍ−Ｃｕ）を挙げることができ、例えば、電子ビーム蒸着法や熱フィラメント蒸着法、真空蒸着法を含む蒸着法、スパッタリング法、ＣＶＤ法やイオンプレーティング法；メッキ法（電気メッキ法や無電解メッキ法）；リフトオフ法；レーザアブレーション法；ゾル・ゲル法等によって形成することができる。光反射層を構成する材料に依っては、成膜される光反射層の結晶状態の制御のために、例えば、ＴｉＮから成る下地層を形成しておくことが好ましい。
【００５７】
このように、共振器構造を有する有機ＥＬ表示装置にあっては、実際には、白色光を発光する有機層から構成された赤色発光素子［場合によっては、白色光を発光する有機層と赤色カラーフィルタ層（あるいは赤色カラーフィルタ層として機能する平坦化層）とを組み合わせることで構成された赤色発光素子］は、発光層で発光した赤色光を共振させて、赤味がかった光（赤色の領域に光スペクトルのピークを有する光）を第２電極から出射する。また、白色光を発光する有機層から構成された緑色発光素子［場合によっては、白色光を発光する有機層と緑色カラーフィルタ層（あるいは緑色カラーフィルタ層として機能する平坦化層）とを組み合わせることで構成された緑色発光素子］は、発光層で発光した緑色光を共振させて、緑味がかった光（緑色の領域に光スペクトルのピークを有する光）を第２電極から出射する。更には、白色光を発光する有機層から構成された青色発光素子［場合によっては、白色光を発光する有機層と青色カラーフィルタ層（あるいは青色カラーフィルタ層として機能する平坦化層）とを組み合わせることで構成された青色発光素子］は、発光層で発光した青色光を共振させて、青味がかった光（青色の領域に光スペクトルのピークを有する光）を第２電極から出射する。即ち、発光層で発生した光の内の所望の波長λ（具体的には、赤色の波長、緑色の波長、青色の波長）を決定し、式（１−１）及び式（１−２）に基づき、赤色発光素子、緑色発光素子、青色発光素子のそれぞれにおけるＯＬ1，ＯＬ2等の各種パラメータを求めて、各発光素子を設計すればよい。例えば、特開２０１２−２１６４９５の段落番号［００４１］には、有機層を共振部とした共振器構造を有する有機ＥＬ素子が開示されており、発光点（発光面）から反射面までの距離を適切に調整することが可能となるため、有機層の膜厚は、８０ｎｍ以上５００ｎｍ以下であることが好ましく、１５０ｎｍ以上３５０ｎｍ以下であることがより好ましいと記載されている。通常、（Ｌ1＋Ｌ2＝Ｌ0）の値は、赤色発光素子、緑色発光素子及び青色発光素子において異なる。
【００５８】
有機ＥＬ表示装置にあっては、正孔輸送層（正孔供給層）の厚さと電子輸送層（電子供給層）の厚さは、概ね等しいことが望ましい。あるいは又、正孔輸送層（正孔供給層）よりも電子輸送層（電子供給層）を厚くしてもよく、これによって、低い駆動電圧で高効率化に必要、且つ、発光層への十分な電子供給が可能となる。即ち、アノード電極に相当する第１電極と発光層との間に正孔輸送層を配置し、しかも、電子輸送層よりも薄い膜厚で形成することで、正孔の供給を増大させることが可能となる。そして、これにより、正孔と電子の過不足がなく、且つ、キャリア供給量も十分多いキャリアバランスを得ることができるため、高い発光効率を得ることができる。また、正孔と電子の過不足がないことで、キャリアバランスが崩れ難く、駆動劣化が抑制され、発光寿命を長くすることができる。
【実施例１】
【００５９】
実施例１は、本開示の本開示の表示装置に関する。実施例１の表示装置を構成する発光素子（但し、基準点内に位置する）の模式的な一部断面図を図１に示し、発光素子（但し、基準点から離れて位置する）の模式的な一部断面図を図２に示す。また、実施例１の表示装置が有する表示パネルに備えられた発光素子と基準点との位置関係を図３Ａに模式的に示し、実施例１の表示パネルにおける発光部、カラーフィルタ層及びレンズ部材の配置関係を模式的に図８Ａ及び図８Ｂに示す。実施例１の表示装置は、具体的には、有機ＥＬ表示装置から構成されており、実施例１の発光素子は、具体的には、有機ＥＬ素子から構成されている。また、実施例１の表示装置は、第２基板から光を出射するトップエミッション方式（上面発光方式）の表示装置（上面発光型表示装置）である。第１基板側の電極を第１電極とし、第２基板側の電極を第２電極とする。【００６０】
実施例１の表示装置は、
発光部３０、及び、
発光部３０から出射された光が通過するレンズ部材（オンチップマイクロレンズ）５０、
を含む発光素子１０（１０Ｒ，１０Ｇ，１０Ｂ）を、複数、備えた表示パネルを有し、
発光部３０の中心を通る法線ＬＮとレンズ部材５０の中心を通る法線ＬＮ’との間の距離をＤ0としたとき、表示パネルに備えられた発光素子１０の少なくとも一部において、距離Ｄ0の値は０でない。尚、発光部３０の中心とは、後述する第１電極３１と有機層３３とが接する領域の面積重心点を指す。【００６１】
そして、基準点Ｐが想定されており、距離Ｄ0は基準点Ｐから発光部３０の中心を通る法線ＬＮまでの距離Ｄ1に依存する。【００６２】
実施例１の表示装置において、基準点Ｐは表示パネル内に想定されている。但し、基準点Ｐは表示パネルの中心領域に位置していない（含まれない）。図３Ａ、図３Ｂ、図１２Ａ、図１２Ｂにおいては、表示パネルの中心領域を黒三角印で示し、発光素子１０を四角印で示し、発光部３０の中心を黒四角印で示し、基準点Ｐを黒丸で示す。そして、発光素子１０と基準点Ｐとの位置関係を模式的に図３Ａに示すが、１つの基準点Ｐが想定されている。基準点Ｐは或る程度の広がりを含み得るので、一部の発光素子１０（具体的には、基準点Ｐに含まれる１又は複数の発光素子１０）において距離Ｄ0の値は０であり、残りの発光素子１０において距離Ｄ0の値は０でない。発光素子が表示パネルに占める位置に応じて距離（オフセット量）Ｄ0の値は異なる。【００６３】
上述したとおり、実施例１あるいは後述する実施例２〜実施例５の表示装置において、発光素子１０に備えられた発光部３０は、有機エレクトロルミネッセンス層（有機ＥＬ層）を含む。即ち、実施例１〜実施例５の表示装置は有機エレクトロルミネッセンス表示装置（有機ＥＬ表示装置）から構成されており、発光素子１０は有機エレクトロルミネッセンス素子（有機ＥＬ素子）から構成されている。【００６４】
実施例の表示装置において、各発光素子１０から出射され、レンズ部材５０を通過した光は、表示装置の外部の空間の或る領域に収束する（集光される）。あるいは又、各発光素子１０から出射され、レンズ部材５０を通過した光は、表示装置の外部の空間において発散する。あるいは又、各発光素子１０から出射され、レンズ部材５０を通過した光は、平行光である。レンズ部材５０を通過した光を、収束光とするか、発散光とするか、平行光とするかは、表示装置に要求される仕様に基づく。そして、この仕様に基づき、レンズ部材５０のパワー等を設計すればよい。レンズ部材５０を通過した光が収束光である場合、表示装置から出射された画像が形成される空間の位置は、基準点Ｐの法線上にある場合もあるし、無い場合もあり、表示装置に要求される仕様に依存する。表示装置から出射された画像の表示寸法、表示位置等を制御するために表示装置から出射された画像が通過する光学系を配置してもよい。如何なる光学系を配置するかも表示装置に要求される仕様に依存するが、例えば、結像レンズ系を例示することができる。【００６５】
また、実施例１の表示装置において、基準点Ｐが設定されており、複数の発光素子１０は、第１の方向（具体的には、Ｘ方向）及び第１の方向とは異なる第２の方向（具体的には、Ｙ方向）に配列されている。そして、基準点Ｐから発光部３０の中心を通る法線ＬＮまでの距離をＤ1とし、距離Ｄ0の第１の方向（Ｘ方向）及び第２の方向（Ｙ方向）のそれぞれの値をＤ0-X，Ｄ0-Yとし、距離Ｄ1の第１の方向（Ｘ方向）及び第２の方向（Ｙ方向）のそれぞれの値をＤ1-X，Ｄ1-Yとしたとき、
［Ａ］Ｄ1-Xの変化に対してＤ0-Xは線形に変化し、Ｄ1-Yの変化に対してＤ0-Yは線形に変化するように設計してもよいし、
［Ｂ］Ｄ1-Xの変化に対してＤ0-Xは線形に変化し、Ｄ1-Yの変化に対してＤ0-Yは非線形に変化するように設計してもよいし、
［Ｃ］Ｄ1-Xの変化に対してＤ0-Xは非線形に変化し、Ｄ1-Yの変化に対してＤ0-Yは線形に変化するように設計してもよいし、
［Ｄ］Ｄ1-Xの変化に対してＤ0-Xは非線形に変化し、Ｄ1-Yの変化に対してＤ0-Yは非線形に変化するように設計してもよい。【００６６】
図４Ａ、図４Ｂ、図４Ｃ、図４Ｄ、図５Ａ、図５Ｂ、図５Ｃ、図５Ｄ、図６Ａ、図６Ｂ、図６Ｃ、図６Ｄ、図７Ａ、図７Ｂ、図７Ｃ及び図７Ｄに、Ｄ1-Xの変化に対するＤ0-Xの変化、Ｄ1-Yの変化に対するＤ0-Yの変化を模式的に示す。これらの図において、白抜きの矢印は線形の変化を示し、黒矢印は非線形の変化を示す。また、矢印が表示パネルの外側に向かっている場合、レンズ部材５０を通過した光が発散光であることを示し、矢印が表示パネルの内部に向かっている場合、レンズ部材５０を通過した光が収束光あるいは平行光であることを示す。【００６７】
あるいは又、基準点Ｐが設定されており、基準点Ｐから発光部３０の中心を通る法線ＬＮまでの距離をＤ1としたとき、距離Ｄ1の値が増加するに従い、距離Ｄ0の値が増加するように設計してもよい。【００６８】
即ち、Ｄ1-X，Ｄ1-Yの変化に依存したＤ0-X，Ｄ0-Yの変化は、表示装置に要求される仕様に基づき決定すればよい。【００６９】
具体的には、実施例１の表示装置は、
第１基板１１、及び、第２基板４１、並びに、
第１基板１１と第２基板４１との間に位置し、２次元状に配列された複数の発光素子１０（１０Ｒ，１０Ｇ，１０Ｂ）、
を備えており、
発光素子１０（１０Ｒ，１０Ｇ，１０Ｂ）は発光部３０を含み、
第１基板１１の上に形成された基体２６上に設けられた発光部３０は、
第１電極３１、
第２電極３２、及び、
第１電極３１と第２電極３２とによって挟まれた有機層（有機エレクトロルミネッセンス層を含む発光層を有する）３３、
を少なくとも備えており、
実施例１にあっては、有機層３３からの光が、第２基板４１を介して外部に出射される。【００７０】
より具体的には、各発光素子（１０Ｒ，１０Ｇ，１０Ｂ）に含まれる発光部３０は、第１基板１１の上に形成された基体２６上に設けられており、
発光部３０は、
第１電極３１、
第１電極３１の上に形成された有機層（有機エレクトロルミネッセンス層）３３、及び、
有機層３３の上に形成された第２電極３２、
を少なくとも備えている。【００７１】
そして、レンズ部材５０の光入射側又は光出射側には（実施例１の表示装置にあっては、レンズ部材５０の光入射側に）、カラーフィルタ層ＣＦR，ＣＦG，ＣＦB（以下、カラーフィルタ層ＣＦと総称する場合がある）が設けられている。具体的には、第２電極３２の上には、第２電極３２を覆うようにアクリル系樹脂から成る保護層３４が形成されている。保護層３４の頂面又は上方には（実施例１にあっては、具体的には、保護層３４の上には）、周知の方法で、周知の材料から成るカラーフィルタ層ＣＦが形成されており、カラーフィルタ層ＣＦの上方には、周知の方法で、周知の材料から成るレンズ部材（オンチップマイクロレンズ）５０が設けられている。図示したように、カラーフィルタ層ＣＦとレンズ部材５０との間に、レンズ部材５０と同様の材料で平坦化膜３５’を形成してもよい。そして、平坦化膜３５’及びレンズ部材５０の上には、平坦化層３５が形成されている。表示装置における発光部３０、カラーフィルタ層ＣＦ及びレンズ部材５０の配置関係を模式的に図８Ａ及び図８Ｂに示すが、レンズ部材５０の正射影像は、カラーフィルタ層ＣＦの正射影像に含まれる。尚、発光部３０、カラーフィルタ層ＣＦ及びレンズ部材５０の外形形状を、便宜的に円形としたが、このような形状に限定されるものではない。更には、距離Ｄ0の値が０でない発光素子１０において、カラーフィルタ層ＣＦの中心を通る法線ＬＮ”と、発光部３０の中心を通る法線ＬＮとは一致している。即ち、発光部の中心を通る法線とカラーフィルタ層ＣＦの中心を通る法線との間の距離（オフセット量）をｄ0としたとき、ｄ0＝０である。このような構成を採用することで、隣接した発光素子間における混色の発生を確実に抑制することができる。【００７２】
尚、従来の表示装置にあっては、表示領域を占める発光素子１０の全てにおける発光部３０、カラーフィルタ層及びレンズ部材の配置関係は、図８Ａに示したと同様である。【００７３】
平坦化膜３５’及びレンズ部材５０の上に形成された平坦化層３５は、封止樹脂層３６を介して第２基板４１に貼り合わされている。封止樹脂層３６を構成する材料として、アクリル系接着剤、エポキシ系接着剤、ウレタン系接着剤、シリコーン系接着剤、シアノアクリレート系接着剤といった熱硬化型接着剤や、紫外線硬化型接着剤を挙げることができる。カラーフィルタ層ＣＦは、第１基板側に形成されたＯＣＣＦ（オンチップカラーフィルタ層）である。そして、これによって、有機層３３とカラーフィルタ層ＣＦとの間の距離を短くすることができ、有機層３３から出射した光が隣接する他色のカラーフィルタ層ＣＦに入射して混色が生じることを抑制することができるし、レンズ部材５０の幅広いレンズ設計が可能となる。場合によっては、平坦化層３５を省略し、レンズ部材５０及び平坦化膜３５’を、封止樹脂層３６を介して第２基板４１に貼り合わせてもよい。【００７４】
有機ＥＬ素子から構成された実施例１〜実施例５の発光素子１０において、有機層３３は、赤色発光層、緑色発光層及び青色発光層の積層構造を有する。１つの画素は、赤色発光素子１０Ｒ、緑色発光素子１０Ｇ及び青色発光素子１０Ｂの３つの発光素子から構成されている。発光素子１０を構成する有機層３３は白色光を発光し、各発光素子１０Ｒ，１０Ｇ，１０Ｂは、白色光を発光する有機層３３とカラーフィルタ層ＣＦR，ＣＦG，ＣＦBとの組合せから構成されている。赤色を表示すべき赤色発光素子１０Ｒには赤色カラーフィルタ層ＣＦRが備えられており、緑色を表示すべき緑色発光素子１０Ｇには緑色カラーフィルタ層ＣＦGが備えられており、青色を表示すべき青色発光素子１０Ｂには青色カラーフィルタ層ＣＦBが備えられている。赤色発光素子１０Ｒ、緑色発光素子１０Ｇ及び青色発光素子１０Ｂは、カラーフィルタ層、発光層の位置を除き、実質的に同じ構成、構造を有する。画素数は、例えば１９２０×１０８０であり、１つの発光素子（表示素子）は１つの副画素を構成し、発光素子（具体的には有機ＥＬ素子）は画素数の３倍である。実施例１の表示装置にあっては、副画素の配列として、図２２Ａに示すデルタ配列を挙げることができる。但し、図２２Ｂ、図２２Ｃ、図２２Ｄに示すようなストライプ配列等とすることもできる。場合によっては、赤色発光素子１０Ｒ、緑色発光素子１０Ｇ、青色発光素子１０Ｂ及び白色を出射する発光素子（あるいは補色光を出射する発光素子）によって１画素を構成してもよい。【００７５】
図２３Ａ及び図２３Ｂ、並びに、図２３Ｃ及び図２３Ｄに、第１電極３１Ｒ，３１Ｇ，３１Ｂとカラーフィルタ層ＣＦR，ＣＦG，ＣＦBの配置関係を模式的に示す。尚、図２３Ｂ及び図２３Ｄにおいては、カラーフィルタ層ＣＦR，ＣＦG，ＣＦBを点線で示す。特に、電子ビューファインダのような目を振る（即ち、視野角色付きが気になる）用途においては、赤色発光素子１０Ｒ、緑色発光素子１０Ｇ、青色発光素子１０Ｂにおけるカラーフィルタ層ＣＦR，ＣＦG，ＣＦBの大きさ、及び、第１電極３１Ｒ，３１Ｇ，３１Ｂの大きさを調整することで、具体的には、図２３Ａ及び図２３Ｂに示すように、
（赤色発光素子の第１電極の幅）＝（緑色発光素子の第１電極の幅）＞（青色発光素子の第１電極の幅）
とすることで、白色光を発光する有機層３３を備えた発光素子から構成された赤色発光素子、緑色発光素子、青色発光素子の視野角をパラメータとした色強度が同程度となり、視野角に起因した色付き（視野角色付き）の発生を回避することができる。また、図２３Ｃ及び図２３Ｄに示すように、２つの青色発光素子を対角に配置し、赤色発光素子及び緑色発光素子を対角に配置する場合、赤色発光素子を構成する第１電極３１Ｒと緑色発光素子を構成する第１電極３１Ｇの対向部分を切り欠くことが好ましく、更には、方位角の視野角対称性を保つため、赤色発光素子の第１電極３１Ｒの切り欠かれた部分と対向する第１電極３１Ｒの部分を切り欠き、緑色発光素子の第１電極３１Ｇの切り欠かれた部分と対向する第１電極３１Ｇの部分を切り欠くことが一層好ましい。【００７６】
ＣＶＤ法に基づき形成されたＳｉＯ2から成る基体２６の下方には、発光素子駆動部が設けられている。発光素子駆動部は周知の回路構成とすることができる。発光素子駆動部は、第１基板１１に相当するシリコン半導体基板に形成されたトランジスタ（具体的には、ＭＯＳＦＥＴ）から構成されている。ＭＯＳＦＥＴから構成されたトランジスタ２０は、第１基板１１上に形成されたゲート絶縁層２２、ゲート絶縁層２２上に形成されたゲート電極２１、第１基板１１に形成されたソース／ドレイン領域２４、ソース／ドレイン領域２４の間に形成されたチャネル形成領域２３、並びに、チャネル形成領域２３及びソース／ドレイン領域２４を取り囲む素子分離領域２５から構成されている。トランジスタ２０と第１電極３１とは、基体２６に設けられたコンタクトプラグ２７を介して電気的に接続されている。尚、図面においては、１つの発光素子駆動部につき、１つのトランジスタ２０を図示した。【００７７】
第２電極３２は、表示パネルの外周部において、基体２６に形成された図示しないコンタクトホール（コンタクトプラグ）を介して発光素子駆動部と接続されている。表示パネルの外周部において、第２電極３２の下方に第２電極３２に接続された補助電極を設け、補助電極を発光素子駆動部と接続してもよい。【００７８】
第１電極３１はアノード電極として機能し、第２電極３２はカソード電極として機能する。第１電極３１は、光反射材料層、具体的には、例えば、Ａｌ−Ｎｄ合金層、Ａｌ−Ｃｕ合金層、Ａｌ−Ｔｉ合金層とＩＴＯ層の積層構造から成り、第２電極３２は、ＩＴＯ等の透明導電材料から成る。第１電極３１は、真空蒸着法とエッチング法との組合せに基づき、基体２６の上に形成されている。また、第２電極３２は、特に真空蒸着法のような成膜粒子のエネルギーが小さい成膜方法によって成膜されており、パターニングされていない。有機層３３もパターニングされていない。但し、これに限定するものではなく、有機層３３をパターニングしてもよい。即ち、有機層３３を副画素毎に塗り分け、赤色発光素子の有機層３３を赤色を発光する有機層から構成し、緑色発光素子の有機層３３を緑色を発光する有機層から構成し、青色発光素子の有機層３３を青色を発光する有機層から構成してもよい。【００７９】
実施例１において、有機層３３は、正孔注入層（ＨＩＬ：Hole Injection Layer）、正孔輸送層（ＨＴＬ：Hole Transport Layer）、発光層、電子輸送層（ＥＴＬ：Electron Transport Layer）、及び、電子注入層（ＥＩＬ：Electron InjectionLayer）の積層構造を有する。発光層は、異なる色を発光する少なくとも２層の発光層から構成されており、前述したとおり、有機層３３から出射される光は白色である。具体的には、有機層は、上述したとおり、赤色を発光する赤色発光層、緑色を発光する緑色発光層、及び、青色を発光する青色発光層の３層が積層された構造を有する。有機層を、青色を発光する青色発光層、及び、黄色を発光する黄色発光層の２層が積層された構造とすることもできるし、青色を発光する青色発光層、及び、橙色を発光する橙色発光層の２層が積層された構造とすることができる。【００８０】
正孔注入層は、正孔注入効率を高める層であると共に、リークを防止するバッファ層として機能し、厚さは、例えば２ｎｍ乃至１０ｎｍ程度である。正孔注入層は、例えば、以下の式（Ａ）又は式（Ｂ）で表されるヘキサアザトリフェニレン誘導体から成る。尚、正孔注入層の端面が第２電極と接した状態になると、画素間の輝度バラツキ発生の主たる原因となり、表示画質の低下につながる。【００８１】
2020111101.tif 000003
【００８２】
ここで、Ｒ1〜Ｒ6は、それぞれ、独立に、水素、ハロゲン、ヒドロキシ基、アミノ基、アルールアミノ基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシ基、炭素数３０以下の置換あるいは無置換のアリール基、炭素数３０以下の置換あるいは無置換の複素環基、ニトリル基、シアノ基、ニトロ基、又は、シリル基から選ばれる置換基であり、隣接するＲm（ｍ＝１〜６）は環状構造を介して互いに結合してもよい。また、Ｘ1〜Ｘ6は、それぞれ、独立に、炭素又は窒素原子である。【００８３】
2020111101.tif 000004
【００８４】
正孔輸送層は発光層への正孔輸送効率を高める層である。発光層では、電界が加わると電子と正孔との再結合が起こり、光を発生する。電子輸送層は発光層への電子輸送効率を高める層であり、電子注入層は発光層への電子注入効率を高める層である。【００８５】
正孔輸送層は、例えば、厚さが４０ｎｍ程度の４，４’，４”−トリス（３−メチルフェニルフェニルアミノ）トリフェニルアミン（ｍ−ＭＴＤＡＴＡ）又はα−ナフチルフェニルジアミン（αＮＰＤ）から成る。【００８６】
発光層は、混色により白色光を生じる発光層であり、例えば、上述したとおり、赤色発光層、緑色発光層及び青色発光層が積層されて成る。【００８７】
赤色発光層では、電界が加わることにより、第１電極３１から注入された正孔の一部と、第２電極３２から注入された電子の一部とが再結合して、赤色の光が発生する。このような赤色発光層は、例えば、赤色発光材料、正孔輸送性材料、電子輸送性材料及び両電荷輸送性材料の内、少なくとも１種の材料を含んでいる。赤色発光材料は、蛍光性の材料であってもよいし、燐光性の材料であってもよい。厚さが５ｎｍ程度の赤色発光層は、例えば、４，４−ビス（２，２−ジフェニルビニル）ビフェニル（ＤＰＶＢｉ）に、２，６−ビス［（４’−メトキシジフェニルアミノ）スチリル］−１，５−ジシアノナフタレン（ＢＳＮ）を３０質量％混合したものから成る。【００８８】
緑色発光層では、電界が加わることにより、第１電極３１から注入された正孔の一部と、第２電極３２から注入された電子の一部とが再結合して、緑色の光が発生する。このような緑色発光層は、例えば、緑色発光材料、正孔輸送性材料、電子輸送性材料及び両電荷輸送性材料の内、少なくとも１種の材料を含んでいる。緑色発光材料は、蛍光性の材料であってもよいし、燐光性の材料であってもよい。厚さが１０ｎｍ程度の緑色発光層は、例えば、ＤＰＶＢｉに、クマリン６を５質量％混合したものから成る。【００８９】
青色発光層では、電界が加わることにより、第１電極３１から注入された正孔の一部と、第２電極３２から注入された電子の一部とが再結合して、青色の光が発生する。このような青色発光層は、例えば、青色発光材料、正孔輸送性材料、電子輸送性材料及び両電荷輸送性材料の内、少なくとも１種の材料を含んでいる。青色発光材料は、蛍光性の材料であってもよいし、燐光性の材料であってもよい。厚さが３０ｎｍ程度の青色発光層は、例えば、ＤＰＶＢｉに、４，４’−ビス［２−｛４−（Ｎ，Ｎ−ジフェニルアミノ）フェニル｝ビニル］ビフェニル（ＤＰＡＶＢｉ）を２．５質量％混合したものから成る。【００９０】
厚さが２０ｎｍ程度の電子輸送層は、例えば、８−ヒドロキシキノリンアルミニウム（Ａｌｑ３）から成る。厚さが０．３ｎｍ程度の電子注入層は、例えば、ＬｉＦあるいはＬｉ2Ｏ等から成る。【００９１】
但し、各層を構成する材料は例示であり、これらの材料に限定するものではない。また、例えば、発光層は、青色発光層と黄色発光層から構成されていてもよいし、青色発光層と橙色発光層から構成されていてもよい。【００９２】
発光素子１０は、有機層３３を共振部とし、第１電極３１と第２電極３２とによって挟まれた共振器構造を有している。発光面から反射面までの距離（具体的には、発光面から第１電極３１及び第２電極３２までの距離）を適切に調整するために、有機層３３の厚さは、８×１０-8ｍ以上、５×１０-7ｍ以下であることが好ましく、１．５×１０-7ｍ以上、３．５×１０-7ｍ以下であることがより好ましい。共振器構造を有する有機ＥＬ表示装置にあっては、実際には、赤色発光素子１０Ｒは、発光層で発光した赤色光を共振させて、赤味がかった光（赤色の領域に光スペクトルのピークを有する光）を第２電極３２から出射する。また、緑色発光素子１０Ｇは、発光層で発光した緑色光を共振させて、緑味がかった光（緑色の領域に光スペクトルのピークを有する光）を第２電極３２から出射する。更には、青色発光素子１０Ｂは、発光層で発光した青色光を共振させて、青味がかった光（青色の領域に光スペクトルのピークを有する光）を第２電極３２から出射する。共振器構造において、具体的には、第１電極３１を構成する材料として、前述したように、高効率で光を反射する材料から構成すればよい。【００９３】
以下、図１及び図２に示した実施例１の発光素子１０の製造方法の概要を説明する。【００９４】
［工程−１００］
先ず、シリコン半導体基板（第１基板１１）に発光素子駆動部を公知のＭＯＳＦＥＴ製造プロセスに基づき形成する。【００９５】
［工程−１１０］
次いで、ＣＶＤ法に基づき全面に基体２６を形成する。【００９６】
［工程−１２０］
そして、トランジスタ２０の一方のソース／ドレイン領域２４の上方に位置する基体２６の部分に、フォトリソグラフィ技術及びエッチング技術に基づき接続孔を形成し、接続孔を含む基体２６の上に金属層を、例えば、スパッタリング法に基づき形成し、次いで、フォトリソグラフィ技術及びエッチング技術に基づき金属層をパターニングすることで、基体２６の一部分の上に第１電極３１を形成することができる。第１電極３１は、各発光素子毎に分離されている。併せて、接続孔内に第１電極３１とトランジスタ２０とを電気的に接続するコンタクトホール（コンタクトプラグ）２７を形成することができる。【００９７】
［工程−１３０］
次に、例えば、ＣＶＤ法に基づき、全面に絶縁層２８を形成した後、フォトリソグラフィ技術及びエッチング技術に基づき、第１電極３１と第１電極３１との間の基体２６の上に絶縁層２８を残す。【００９８】
［工程−１４０］
その後、第１電極３１及び絶縁層２８の上に、有機層３３を、例えば、真空蒸着法やスパッタリング法といったＰＶＤ法、スピンコート法やダイコート法等のコーティング法等によって成膜する。場合によっては、有機層３３を所望の形状にパターニングしてもよい。【００９９】
［工程−１５０］
次いで、例えば真空蒸着法等に基づき、全面に第２電極３２を形成する。場合によっては、第２電極３２を所望の形状にパターニングしてもよい。このようにして、第１電極３１上に、有機層３３及び第２電極３２を形成することができる。【０１００】
［工程−１６０］
その後、塗布法に基づき、全面に保護層３４を形成した後、保護層３４の頂面を平坦化処理する。塗布法に基づき保護層３４を形成することができるので、加工プロセスの制約が少なく、材料選択幅が広く、高屈折率材料の使用が可能となる。その後、周知の方法で、保護層３４の上にカラーフィルタ層ＣＦ（ＣＦR，ＣＦG，ＣＦB）を形成し、更に、カラーフィルタ層ＣＦの上に平坦化膜３５’を形成し、平坦化膜３５’の上にレンズ部材５０を形成する。具体的には、図２４Ａに示すように、カラーフィルタ層ＣＦの上に、レンズ部材５０を形成するためのレンズ部材形成層６０を形成し、その上にレジスト材料層６１を形成する。そして、レジスト材料層６１をパターニングし、更に、加熱処理を施すことで、レジスト材料層６１をレンズ部材形状とする（図２４Ｂ参照）。次いで、レジスト材料層６１及びレンズ部材形成層６０をエッチバックすることで、レジスト材料層６１に形成された形状をレンズ部材形成層６０に転写する（図２４Ｃ参照）。こうして、レンズ部材５０を得ることができる。【０１０１】
［工程−１７０］
そして、平坦化膜３５’及びレンズ部材５０の上に平坦化層３５を形成する。その後、平坦化層３５と第２基板４１とをアクリル系接着剤から成る封止樹脂層３６によって貼り合わせる。こうして、図１、図２に示した発光素子（有機ＥＬ素子）１０、実施例１の表示装置を得ることができる。このように、第２基板側にカラーフィルタ層ＣＦを設けるのではなく、第１基板側にカラーフィルタ層ＣＦを設ける、所謂ＯＣＣＦ型とすることで、有機層３３とカラーフィルタ層ＣＦとの間の距離を短くすることができ、レンズ部材５０の設計幅、設計自由度が広がるし、所謂ＯＣＣＦ型とするので、有機層３３との間の位置合わせに問題が生じる可能性が少ない。【０１０２】
実施例１の表示装置にあっては、発光部の中心を通る法線ＬＮとレンズ部材の中心を通る法線ＬＮ’との間の距離をＤ0としたとき、表示装置を構成する発光素子の少なくとも一部において距離Ｄ0の値は０でないので、発光素子の表示パネルにおける位置に依存して、発光層から出射され、レンズ部材を経由した光の進む方向を、確実に、且つ、的確に制御することができる。即ち、外部の空間のどの領域に向けて表示装置からの画像をどのような状態で出射するかを、確実に、且つ、的確に制御することができる。また、レンズ部材を設けることで、表示装置から出射される画像の明るさ（輝度）の増加、隣接画素間の混色防止を図ることができるだけでなく、必要とされる視野角に応じて光を、適宜、発散させることができるし、発光素子、表示装置の長寿命化、高輝度化が実現可能である。従って、表示装置の小型、軽量化、高品位化を図ることが可能である。また、アイウエア、ＡＲ（拡張現実，Augmented Reality）グラス、ＶＲへの用途が格段に広がる。【０１０３】
図９Ａに、距離Ｄ0を変えたときの光線角度θ（単位：度）と光量（輝度）の関係をシミュレーションした結果を示す。尚、図９Ａ中、記号Ａ，Ｂ，Ｃ，Ｄ，Ｅ，Ｆの意味は、以下の表１のとおりである。また、シミュレーションにおいては、外形形状が円形の発光部３０の直径を２．６μｍ、外形形状が円形のレンズ部材の直径を５．８μｍとした。尚、光線角度とは、レンズ部材５０から出射された光線とレンズ部材５０の中心を通る法線ＬＮ’との成す角度を意味する。そして、表１中、主光線角度は、レンズ部材５０から出射された光線が最も高い光量（輝度）となるときの光線角度である。【０１０４】
〈表１〉
距離Ｄ0           主光線角度    輝度増加割合
Ａ    ０．００μｍ        ０度        １．００
Ｂ    ０．５１μｍ      １５度        １．０７
Ｃ    １．０５μｍ      ３４度        １．６４
Ｄ    １．６７μｍ      ４９度        ２．１７
Ｅ    ２．４３μｍ      ６３度        ２．５７
Ｆ    ３．４５μｍ      ６３度        １．９５【０１０５】
図９Ａから、距離Ｄ0を変えた場合であっても、光線角度θに対する光量（輝度）の変化に大きな差異は生じていないことが判る。そして、図９Ｂに示すように、従来の表示装置（表示装置の表示領域における発光素子の位置に拘わらず、距離Ｄ0＝０）の場合と比較して（図９Ｂの「Ａ」参照）、実施例１の表示装置において、距離Ｄ0＝２．５７μｍ、光線角度６３度における光量（輝度）は、図９Ｂの「Ｅ」に示すように、約２．６倍、増加している。尚、従来の表示装置に対する実施例１の表示装置における光量（輝度）の増加割合を、表１に掲げる。【０１０６】
実施例１の表示装置において、複数の基準点が想定されている構成とすることもできる。尚、複数の基準点は、表示パネルの表示領域内に配置されている。発光素子１０と基準点Ｐ1，Ｐ2との位置関係を模式的に図３Ｂに示すが、図示した例では、２つの基準点Ｐ1，Ｐ2が想定されている。具体的には、表示パネルの中心を対称点として、２つの基準点Ｐ1，Ｐ2は２回・回転対称に配置されている。ここで、少なくとも１つの基準点は表示パネルの中心領域には含まれない。図示した例では、２つの基準点Ｐ1，Ｐ2は、表示パネルの中心領域には含まれない。一部の発光素子（具体的には、基準点Ｐに含まれる１又は複数の発光素子）において距離Ｄ0の値は０であり、残りの発光素子において距離Ｄ0の値は０でない。基準点から発光部３０の中心を通る法線ＬＮまでの距離Ｄ1に関しては、或る発光部３０の中心を通る法線ＬＮからより近い基準点との間の距離を距離Ｄ1とする。【０１０７】
実施例１の表示装置の変形例−１を構成する発光素子（但し、基準点から離れて位置する）の模式的な一部断面図を図１０に示すが、
レンズ部材５０の正射影像は、カラーフィルタ層ＣＦの正射影像に含まれ、
距離Ｄ0の値が０でない発光素子において、カラーフィルタ層ＣＦの中心を通る法線ＬＮ”と、レンズ部材５０の中心を通る法線ＬＮ’とは一致している構成とすることもできる。即ち、Ｄ0＝ｄ0＞０である。【０１０８】
あるいは又、実施例１の表示装置の変形例−２を構成する発光素子（但し、基準点から離れて位置する）の模式的な一部断面図を図１１に示すが、
レンズ部材５０の正射影像は、カラーフィルタ層ＣＦの正射影像と一致し、
距離Ｄ0の値が０でない発光素子において、カラーフィルタ層ＣＦの中心を通る法線ＬＮ”と、レンズ部材５０の中心を通る法線ＬＮ’とは一致している構成とすることもできる。即ち、Ｄ0＝ｄ0＞０である。【０１０９】
これらの実施例１の表示装置の変形例−１あるいは変形例−２の構成を採用することでも、隣接した発光素子間における混色の発生を確実に抑制することができる。
【実施例２】
【０１１０】
実施例２は、実施例１の変形である。実施例２の表示装置において、基準点Ｐは表示パネルの外側に想定されている。発光素子１０と基準点Ｐ，Ｐ1，Ｐ2との位置関係を模式的に図１２Ａ及び図１２Ｂに示すが、１つの基準点Ｐが想定されている構成とすることができるし（図１２Ａ参照）、あるいは又、複数の基準点Ｐ（図１２Ｂには２つの基準点Ｐ1，Ｐ2を示す）が想定されている構成とすることもできる。表示パネルの中心を対称点として、２つの基準点Ｐ1，Ｐ2は２回・回転対称に配置されている。全ての発光素子において距離Ｄ0の値は０でない。基準点から発光部３０の中心を通る法線ＬＮまでの距離Ｄ1に関しては、或る発光部３０の中心を通る法線ＬＮからより近い基準点との間の距離を距離Ｄ1とする。そして、これらの場合、各発光素子１０から出射され、レンズ部材５０を通過した光は、表示装置の外部の空間の或る領域に収束する（集光される）。あるいは又、各発光素子１０から出射され、レンズ部材５０を通過した光は、表示装置の外部の空間において発散する。【０１１１】
以上の点を除き、実施例２の表示装置の構成、構造は、実施例１において説明した表示装置の構成、構造と同様とすることができるので、詳細な説明は省略する。
【実施例３】
【０１１２】
実施例３は、実施例１〜実施例２の変形である。実施例１〜実施例２の表示装置にあっては、レンズ部材５０の光入射側に、カラーフィルタ層が設けられている構成とした。一方、実施例３にあっては、レンズ部材５０の光出射側に、カラーフィルタ層ＣＦR，ＣＦG，ＣＦBが設けられている。具体的には、実施例３の表示装置を構成する発光素子（但し、基準点内に位置する）の模式的な一部断面図を図１３に示し、発光素子（但し、基準点から離れて位置する）の模式的な一部断面図を図１４に示すように、第２電極３２の上には、アクリル系樹脂から成る保護層３４が形成されている。そして、保護層３４の頂面又は上方には（具体的には、保護層３４の上には）、周知の材料から成るレンズ部材（オンチップマイクロレンズ）５０が設けられている。また、第１基板１１と対向する第２基板４１の面上にはカラーフィルタ層ＣＦ（ＣＦR，ＣＦG，ＣＦB）が設けられている。そして、カラーフィルタ層ＣＦとレンズ部材５０及び保護層３４とは、アクリル系接着剤から成る封止樹脂層３６によって貼り合わされている。尚、レンズ部材５０の上に平坦化層を設け、カラーフィルタ層ＣＦと平坦化層とを、アクリル系接着剤から成る封止樹脂層３６によって貼り合わせてもよい。距離Ｄ0の値が０でない発光素子において、カラーフィルタ層ＣＦR，ＣＦG，ＣＦBの中心を通る法線ＬＮ”と、レンズ部材５０の中心を通る法線ＬＮ’とは一致している（即ち、Ｄ0＝ｄ0＞０である）。また、レンズ部材５０の正射影像は、カラーフィルタ層ＣＦR，ＣＦG，ＣＦBの正射影像と一致している。あるいは又、カラーフィルタ層ＣＦR，ＣＦG，ＣＦBの正射影像に含まれる（図１３及び図１４参照）。【０１１３】
以上の点を除き、実施例３の表示装置の構成、構造は、実施例１あるいは実施例２において説明した表示装置の構成、構造と同様とすることができるので、詳細な説明は省略する。
【実施例４】
【０１１４】
実施例４も、実施例１〜実施例２の変形である。実施例４の表示装置を構成する発光素子（但し、基準点内に位置する）の模式的な一部断面図を図１５に示し、発光素子（但し、基準点から離れて位置する）の模式的な一部断面図を図１６に示すように、実施例４にあっては、カラーフィルタ層ＣＦR，ＣＦG，ＣＦBが省略されている。即ち、保護層３４の頂面又は上方には（具体的には、保護層３４の上には）レンズ部材５０が設けられており、レンズ部材５０及び保護層３４と第２基板４１とは、アクリル系接着剤から成る封止樹脂層３６によって貼り合わされている。尚、レンズ部材５０の上に平坦化層を設け、第２基板４１と平坦化層とを、アクリル系接着剤から成る封止樹脂層３６によって貼り合わせてもよい。発光素子は、有機層が赤色を生じさせる赤色発光素子１０Ｒ、有機層が緑色を生じさせる緑色発光素子１０Ｇ、有機層が青色を生じさせる青色発光素子１０Ｂから構成されており、これらの３種類の発光素子（副画素）を組み合わせることで、１つの画素が構成される。尚、この場合、色純度向上のためにカラーフィルタ層を設けてもよい。【０１１５】
以上の点を除き、実施例４の表示装置の構成、構造は、実施例１あるいは実施例２において説明した表示装置の構成、構造と同様とすることができるので、詳細な説明は省略する。
【実施例５】
【０１１６】
実施例５においては、実施例１〜実施例４において説明した表示装置を、頭部装着型ディスプレイ（ＨＭＤ）に適用した。実施例５の頭部装着型ディスプレイを構成する画像表示装置の概念図を図２５に示し、実施例５の頭部装着型ディスプレイを上方から眺めた模式図を図２６に示し、正面から眺めた模式図を図２７に示し、側方から眺めた模式図を図２８Ａに示す。また、実施例５の表示装置における反射型体積ホログラム回折格子の一部を拡大して示す模式的な断面図を図２８Ｂに示す。【０１１７】
実施例５の画像表示装置１００は、
実施例１〜実施例４において説明した表示装置１１１から成る画像形成装置１１０、
導光板１２１、
導光板１２１に取り付けられた第１偏向手段１３１、及び、
導光板１２１に取り付けられた第２偏向手段１３２、
を備えている。そして、
画像形成装置１１０からの光は、第１偏向手段１３１において偏向され（あるいは反射され）、導光板１２１の内部を全反射により伝播し、第２偏向手段１３２において偏向され、観察者１５０の瞳１５１に向けて出射される。【０１１８】
導光板１２１及び第２偏向手段１３２から構成された系は、半透過型（シースルー型）である。【０１１９】
実施例５の頭部装着型ディスプレイは、
（Ａ）観察者１５０の頭部に装着されるフレーム１４０（例えば、眼鏡型のフレーム１４０）、並びに、
（Ｂ）フレーム１４０に取り付けられた画像表示装置１００、
を備えている。尚、実施例５の頭部装着型ディスプレイを、具体的には、２つの画像表示装置を備えた両眼型としたが、１つ備えた片眼型としてもよい。画像表示装置１００は、フレーム１４０に、固定して取り付けられていてもよいし、着脱自在に取り付けられていてもよい。頭部装着型ディスプレイは、例えば、観察者１５０の瞳１５１に、直接、画像を描画する直描タイプの頭部装着型ディスプレイである。【０１２０】
導光板１２１は、画像形成装置１１０からの光が入射する第１面１２２、及び、第１面１２２と対向する第２面１２３を有している。即ち、光学ガラスやプラスチック材料から成る導光板１２１は、導光板１２１の内部全反射による光伝播方向（Ｘ方向）と平行に延びる２つの平行面（第１面１２２及び第２面１２３）を有している。第１面１２２と第２面１２３とは対向している。そして、第１偏向手段１３１は、導光板１２１の第２面１２３上に配置されており（具体的には、貼り合わされており）、第２偏向手段１３２は、導光板１２１の第２面１２３上に配置されている（具体的には、貼り合わされている）。【０１２１】
第１偏向手段（第１回折格子部材）１３１は、ホログラム回折格子、具体的には、反射型体積ホログラム回折格子から成り、第２偏向手段（第２回折格子部材）１３２も、ホログラム回折格子、具体的には、反射型体積ホログラム回折格子から成る。第１偏向手段１３１を構成するホログラム回折格子の内部には第１の干渉縞が形成されており、第２偏向手段１３２を構成するホログラム回折格子の内部には第２の干渉縞が形成されている。【０１２２】
第１偏向手段１３１は、第２面１２３から導光板１２１に入射された平行光が導光板１２１の内部で全反射されるように、回折反射する。第２偏向手段１３２は、導光板１２１の内部を全反射により伝播した光を回折反射し、観察者１５０の瞳１５１へと導く。第２偏向手段１３２によって導光板１２１における虚像形成領域が構成される。第１偏向手段１３１及び第２偏向手段１３２の軸線はＸ方向と平行であり、法線はＺ方向と平行である。フォトポリマー材料から成る各反射型体積ホログラム回折格子には、１種類の波長帯域（あるいは、波長）に対応する干渉縞が形成されており、従来の方法で作製されている。反射型体積ホログラム回折格子に形成された干渉縞のピッチは一定であり、干渉縞は直線状であり、Ｙ方向に平行である。【０１２３】
図２８Ｂに反射型体積ホログラム回折格子の拡大した模式的な一部断面図を示す。反射型体積ホログラム回折格子には、傾斜角（スラント角）φを有する干渉縞が形成されている。ここで、傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。【０１２４】
ｍ・λ＝２・ｄ・ｓｉｎ（Θ）    （Ａ）
Θ＝９０°−（φ＋ψ）          （Ｂ）【０１２５】
画像形成装置１１０の全体は筐体１１２内に納められている。尚、表示装置１１１から出射された画像の表示寸法、表示位置等を制御するために表示装置１１１から出射された画像が通過する光学系を配置してもよい。如何なる光学系を配置するかは、頭部装着型ディスプレイや画像形成装置１１０に要求される仕様に依存する。【０１２６】
フレーム１４０は、観察者１５０の正面に配置されるフロント部１４１と、フロント部１４１の両端に蝶番１４２を介して回動自在に取り付けられた２つのテンプル部１４３と、各テンプル部１４３の先端部に取り付けられたモダン部（先セル、耳あて、イヤーパッドとも呼ばれる）１４４から成る。また、ノーズパッド１４０’が取り付けられている。即ち、フレーム１４０及びノーズパッド１４０’の組立体は、基本的には、通常の眼鏡と略同じ構造を有する。更には、各筐体１１２が、取付け部材１４９によってテンプル部１４３に取り付けられている。フレーム１４０は、金属又はプラスチックから作製されている。尚、各筐体１１２は、取付け部材１４９によってテンプル部１４３に着脱自在に取り付けられていてもよい。また、眼鏡を所有し、装着している観察者に対しては、観察者の所有する眼鏡のフレーム１４０のテンプル部１４３に、各筐体１１２を取付け部材１４９によって着脱自在に取り付けてもよい。各筐体１１２を、テンプル部１４３の外側に取り付けてもよいし、テンプル部１４３の内側に取り付けてもよい。あるいは又、フロント部１４１に備えられたリムに、導光板１２１を嵌め込んでもよい。【０１２７】
更には、一方の画像形成装置１１０から延びる配線（信号線や電源線等）１４５が、テンプル部１４３、及び、モダン部１４４の内部を介して、モダン部１４４の先端部から外部に延び、制御装置（制御回路、制御手段）１４８に接続されている。更には、各画像形成装置１１０はヘッドホン部１４６を備えており、各画像形成装置１１０から延びるヘッドホン部用配線１４６’が、テンプル部１４３、及び、モダン部１４４の内部を介して、モダン部１４４の先端部からヘッドホン部１４６へと延びている。ヘッドホン部用配線１４６’は、より具体的には、モダン部１４４の先端部から、耳介（耳殻）の後ろ側を回り込むようにしてヘッドホン部１４６へと延びている。このような構成にすることで、ヘッドホン部１４６やヘッドホン部用配線１４６’が乱雑に配置されているといった印象を与えることがなく、すっきりとした頭部装着型ディスプレイとすることができる。【０１２８】
配線（信号線や電源線等）１４５は、上述したとおり、制御装置（制御回路）１４８に接続されており、制御装置１４８において画像表示のための処理がなされる。制御装置１４８は周知の回路から構成することができる。【０１２９】
フロント部１４１の中央部分１４１’に、必要に応じて、ＣＣＤあるいはＣＭＯＳセンサから成る固体撮像素子とレンズ（これらは図示せず）とから構成されたカメラ１４７が、適切な取付部材（図示せず）によって取り付けられている。カメラ１４７からの信号は、カメラ１４７から延びる配線（図示せず）を介して制御装置（制御回路）１４８に送出される。【０１３０】
実施例５の画像表示装置にあっては、或る瞬間に表示装置１１１から出射された光（例えば、１画素分あるいは１副画素分の大きさに相当する）は、平行光とされる。そして、この光は、観察者１５０の瞳１５１（具体的には、水晶体）に到達し、水晶体を通過した光は、最終的に、観察者１５０の瞳１５１の網膜において結像する。【０１３１】
以上、本開示を好ましい実施例に基づき説明したが、本開示はこれらの実施例に限定するものではない。実施例において説明した表示装置（有機ＥＬ表示装置）、発光素子（有機ＥＬ素子）の構成、構造の構成は例示であり、適宜、変更することができるし、表示装置の製造方法も例示であり、適宜、変更することができる。平坦化層がカラーフィルタ層としての機能を有する形態とすることもできる。即ち、このような機能を有する平坦化層を、周知のカラーレジスト材料から構成すればよい。このように平坦化層をカラーフィルタ層としても機能させることで、有機層と平坦化層とを近接して配置することが可能となり、発光素子から出射する光を広角化させても混色の防止を効果的に図ることができ、視野角特性が向上する。【０１３２】
実施例１の表示装置の変形例−３を構成する発光素子（但し、基準点内に位置する）の模式的な一部断面図を図１７に示し、発光素子（但し、基準点から離れて位置する）の模式的な一部断面図を図１８に示すように、隣接する発光素子のカラーフィルタ層ＣＦの間には光吸収層（ブラックマトリクス層）ＢＭが形成されている形態とすることができる。ブラックマトリクス層ＢＭは、例えば、黒色の着色剤を混入した光学濃度が１以上の黒色の樹脂膜（具体的には、例えば、黒色のポリイミド系樹脂）から成る。また、実施例１の表示装置の変形例−４を構成する発光素子（但し、基準点内に位置する）の模式的な一部断面図を図１９に示し、発光素子（但し、基準点から離れて位置する）の模式的な一部断面図を図２０に示すように、隣接する発光素子のレンズ部材５０の間には光吸収層（ブラックマトリクス層）ＢＭ’が形成されている形態とすることもできる。また、これらの変形例−３及び変形例−４を組み合わせることもできるし、各種の変形例を他の実施例に適用することもできる。【０１３３】
実施例３の表示装置の変形例−１を構成する発光素子（但し、基準点から離れて位置する）の模式的な一部断面図を図２１に示すが、第１基板１１と対向する第２基板４１の面上にはカラーフィルタ層ＣＦ（ＣＦR，ＣＦG，ＣＦB）が設けられており、カラーフィルタ層ＣＦの第１基板１１と対向する面上にはレンズ部材（オンチップマイクロレンズ）５０が設けられている形態とすることができる。カラーフィルタ層ＣＦ及びレンズ部材５０と保護層３４とは、アクリル系接着剤から成る封止樹脂層３６によって貼り合わされている。尚、カラーフィルタ層ＣＦとレンズ部材５０との間に、レンズ部材５０と同様の材料で平坦化膜を形成してもよい。【０１３４】
実施例においては、専ら、白色発光素子とカラーフィルタ層の組合せから３つの副画素から１つの画素を構成したが、例えば、白色を出射する発光素子を加えた４つの副画素から１つの画素を構成してもよい。この場合、白色を出射する発光素子にあっては透明なフィルタを配設すればよい。実施例においては、発光素子駆動部をＭＯＳＦＥＴから構成したが、ＴＦＴから構成することもできる。第１電極や第２電極を、単層構造としてもよいし、多層構造としてもよい。【０１３５】
或る発光素子に隣接した発光素子に、或る発光素子から出射した光が侵入し、光学的クロストークが発生することを防止するために、発光素子と発光素子との間に遮光部を設けてもよい。即ち、発光素子と発光素子との間に溝部を形成し、この溝部を遮光材料で埋め込んで遮光部を形成してもよい。このように遮光部を設ければ、或る発光素子から出射した光が隣接発光素子に侵入する割合を低減させることができ、混色が発生し、画素全体の色度が所望の色度からずれてしまうといった現象の発生を抑制することができる。そして、混色を防止することができるので、画素を単色発光させたときの色純度が増加し、色度点が深くなる。それ故、色域が広くなり、表示装置の色表現の幅が広がる。また、色純度を向上させるため各画素に対してカラーフィルタ層を配置しているが、発光素子の構成に依っては、カラーフィルタ層の薄膜化若しくはカラーフィルタ層の省略が可能となり、カラーフィルタ層で吸収されていた光を取り出すことが可能となり、結果として発光効率の向上につながる。あるいは又、光吸収層（ブラックマトリクス層）に遮光性を付与してもよい。【０１３６】
本開示の表示装置をレンズ交換式ミラーレスタイプのデジタルスチルカメラに適用することができる。デジタルスチルカメラの正面図を図２９Ａに示し、背面図を図２９Ｂに示す。このレンズ交換式ミラーレスタイプのデジタルスチルカメラは、例えば、カメラ本体部（カメラボディ）２１１の正面右側に交換式の撮影レンズユニット（交換レンズ）２１２を有し、正面左側に撮影者が把持するためのグリップ部２１３を有している。そして、カメラ本体部２１１の背面略中央にはモニタ２１４が設けられている。モニタ２１４の上部には、電子ビューファインダ（接眼窓）２１５が設けられている。撮影者は、電子ビューファインダ２１５を覗くことによって、撮影レンズユニット２１２から導かれた被写体の光像を視認して構図決定を行うことが可能である。このような構成のレンズ交換式ミラーレスタイプのデジタルスチルカメラにおいて、電子ビューファインダ２１５として本開示の表示装置を用いることができる。【０１３７】
以下、発光部の中心を通る法線ＬＮと、レンズ部材の中心を通る法線ＬＮ’と、波長選択部の中心を通る法線ＬＮ”との関係を説明する。【０１３８】
尚、発光素子が出射する光に対応して、波長選択部（例えば、カラーフィルタ層）の大きさを、適宜、変えてもよいし、隣接する発光素子の波長選択部（例えば、カラーフィルタ層）の間に光吸収層（ブラックマトリクス層）が設けられている場合、発光素子が出射する光に対応して、光吸収層（ブラックマトリクス層）の大きさを、適宜、変えてもよい。また、波長選択部（例えば、カラーフィルタ層）の大きさを、発光部の中心を通る法線とカラーフィルタ層ＣＦの中心を通る法線との間の距離（オフセット量）ｄ0に応じて、適宜、変えてもよい。波長選択部（例えば、カラーフィルタ層）の平面形状は、レンズ部材の平面形状と同じであってもよいし、相似であってもよいし、異なっていてもよい。【０１３９】
図１、図１７、図１９及び図２１に示した例では、概念図を図３０Ａに示すように、発光部の中心を通る法線ＬＮと、波長選択部の中心を通る法線ＬＮ”と、レンズ部材の中心を通る法線ＬＮ’とは、一致している。即ち、Ｄ0＝ｄ0＝０である。【０１４０】
また、図２、図１１、図１８及び図２０に示した例では、概念図を図３０Ｂに示すように、発光部の中心を通る法線ＬＮと、波長選択部の中心を通る法線ＬＮ”とは、一致しているが、発光部の中心を通る法線ＬＮ及び波長選択部の中心を通る法線ＬＮ”と、レンズ部材の中心を通る法線ＬＮ’とは、一致していない。即ち、Ｄ0≠ｄ0＝０である。【０１４１】
更には、図１０に示した例では、概念図を図３０Ｃに示すように、発光部の中心を通る法線ＬＮと、波長選択部の中心を通る法線ＬＮ”及びレンズ部材の中心を通る法線ＬＮ’とは、一致しておらず、波長選択部の中心を通る法線ＬＮ”と、レンズ部材の中心を通る法線ＬＮ’とは、一致している。即ち、Ｄ0＝ｄ0＞０である。【０１４２】
概念図を図３１に示すように、発光部の中心を通る法線ＬＮと、波長選択部の中心を通る法線ＬＮ”及びレンズ部材の中心を通る法線ＬＮ’とは、一致しておらず、レンズ部材の中心を通る法線ＬＮ’は、発光部の中心を通る法線ＬＮ及び波長選択部の中心を通る法線ＬＮ”とは一致していない形態とすることもできる。ここで、発光部の中心とレンズ部材の中心（図３１において黒丸で示す）とを結ぶ直線ＬＬ上に、波長選択部の中心（図３１において黒四角で示す）が位置することが好ましい。具体的には、厚さ方向の発光部の中心から波長選択部の中心までの距離をＬＬ1、厚さ方向の波長選択部の中心からレンズ部材の中心までの距離をＬＬ2としたとき、
Ｄ0＞ｄ0＞０
であり、製造上のバラツキを考慮した上で、
ｄ0：Ｄ0＝ＬＬ1：（ＬＬ1＋ＬＬ2）
を満足することが好ましい。【０１４３】
図１３に示した例では、概念図を図３２Ａに示すように、発光部の中心を通る法線ＬＮと、波長選択部の中心を通る法線ＬＮ”と、レンズ部材の中心を通る法線ＬＮ’とは、一致している。即ち、Ｄ0＝ｄ0＝０である。図１４に示した例では、概念図を図３２Ｂに示すように、発光部の中心を通る法線ＬＮと、波長選択部の中心を通る法線ＬＮ”及びレンズ部材の中心を通る法線ＬＮ’とは、一致しておらず、波長選択部の中心を通る法線ＬＮ”と、レンズ部材の中心を通る法線ＬＮ’とは、一致している。即ち、Ｄ0＝ｄ0＞０である。【０１４４】
概念図を図３３に示すように、発光部の中心を通る法線ＬＮと、波長選択部の中心を通る法線ＬＮ”及びレンズ部材の中心を通る法線ＬＮ’とは、一致しておらず、レンズ部材の中心を通る法線ＬＮ’は、発光部の中心を通る法線ＬＮ及び波長選択部の中心を通る法線ＬＮ”とは一致していない形態とすることもできる。ここで、発光部の中心とレンズ部材の中心とを結ぶ直線ＬＬ上に、波長選択部の中心が位置することが好ましい。具体的には、厚さ方向の発光部の中心から波長選択部の中心（図３３において黒四角で示す）までの距離をＬＬ1、厚さ方向の波長選択部の中心からレンズ部材の中心（図３３において黒丸で示す）までの距離をＬＬ2としたとき、
ｄ0＞Ｄ0＞０
であり、製造上のバラツキを考慮した上で、
Ｄ0：ｄ0＝ＬＬ2：（ＬＬ1＋ＬＬ2）
を満足することが好ましい。【０１４５】
共振器構造を設ける場合、前述したとおり、有機層３３を共振部とし、第１電極３１と第２電極３２とによって挟まれた共振器構造としてもよいし、第１電極３１よりも下方に（第１基板４１側に）光反射層３７を形成し、有機層３３を共振部とし、光反射層３７と第２電極３２とによって挟まれた共振器構造としてもよい。即ち、基体２６の上に光反射層３７を設け、光反射層３７の上に層間絶縁層３８を設け、層間絶縁層３８の上に第１電極３１を設ける場合、第１電極３１、光反射層３７、層間絶縁層３８を、前述した材料から構成すればよい。光反射層３７は、コンタクトホール（コンタクトプラグ）２７に接続されていてもよいし、接続されていなくともよい。【０１４６】
以下、図３４Ａ（第１例）、図３４Ｂ（第２例）、図３５Ａ（第３例）、図３５Ｂ（第４例）、図３６Ａ（第５例）、図３６Ｂ（第６例）、図３７Ａ（第７例）、並びに、図３７Ｂ及び図３７Ｃ（第８例）を参照して、第１例〜第８例に基づき共振器構造について説明する。ここで、第１例〜第４例、第７例において、第１電極及び第２電極は、各発光部において同じ厚さを有する。一方、第５例〜第６例において、第１電極は、各発光部において異なる厚さを有し、第２電極は、各発光部において同じ厚さを有する。また、第８例において、第１電極は、各発光部において異なる厚さを有する場合もあるし、同じ厚さを有する場合もあり、第２電極は、各発光部において同じ厚さを有する。【０１４７】
尚、以下の説明において、第１発光素子１０1、第２発光素子１０2及び第３発光素子１０3を構成する発光部を参照番号３０1，３０2，３０3で表し、第１電極を参照番号３１1，３１2，３１3で表し、第２電極を参照番号３２1，３２2，３２3で表し、有機層を参照番号３３1，３３2，３３3で表し、光反射層を参照番号３７1、３７2、３７3で表し、層間絶縁層を参照番号３８1，３８2，３８3，３８1’，３８2’，３８3’で表す。以下の説明において、使用する材料は例示であり、適宜、変更することができる。【０１４８】
図示した例では、式（１−１）及び式（１−２）から導かれる第１発光素子１０1、第２発光素子１０2及び第３発光素子１０3の共振器長を、第１発光素子１０1、第２発光素子１０2、第３発光素子１０3の順で短くしたが、即ち、Ｌ0の値を、第１発光素子１０1、第２発光素子１０2、第３発光素子１０3の順で短くしたが、これに限定するものではなく、ｍ1，ｍ2の値を、適宜、設定することで最適な共振器長を決定すればよい。【０１４９】
共振器構造の第１例を有する発光素子の概念図を図３４Ａに示し、共振器構造の第２例を有する発光素子の概念図を図３４Ｂに示し、共振器構造の第３例を有する発光素子の概念図を図３５Ａに示し、共振器構造の第４例を有する発光素子の概念図を図３５Ｂに示す。第１例〜第６例、第８例の一部において、発光部３０の第１電極３１の下に層間絶縁層３８，３８’が形成されており、層間絶縁層３８，３８’の下に光反射層３７が形成されている。第１例〜第４例において、層間絶縁層３８，３８’の厚さは、発光部３０1，３０2，３０3において異なる。そして、層間絶縁層３８1，３８2，３８3，３８1’，３８2’，３８3’の厚さを適切に設定することで、発光部３０の発光波長に対して最適な共振を生ずる光学的距離を設定することができる。【０１５０】
第１例では、発光部３０1，３０2，３０3において、第１界面（図面においては、点線で示す）は同じレベルとされる一方、第２界面（図面においては、一点鎖線で示す）のレベルは、発光部３０1，３０2，３０3において異なる。また、第２例では、発光部３０1，３０2，３０3において、第１界面は異なるレベルとされる一方、第２界面のレベルは、発光部３０1，３０2，３０3において同じである。【０１５１】
第２例において、層間絶縁層３８1’，３８2’，３８3’は、光反射層３７の表面が酸化された酸化膜から構成されている。酸化膜から成る層間絶縁層３８’は、光反射層３７を構成する材料に依存して、例えば、アルミニウム酸化物、タンタル酸化物、チタン酸化物、マグネシウム酸化物、ジルコニウム酸化物等から構成される。光反射層３７の表面の酸化は、例えば、以下の方法で行うことができる。即ち、容器の中に充填された電解液中に、光反射層３７が形成された第１基板４１を浸漬する。また、光反射層３７と対向するように陰極を配置する。そして、光反射層３７を陽極として、光反射層３７を陽極酸化する。陽極酸化による酸化膜の膜厚は、陽極である光反射層３７と陰極との電位差に比例する。それ故、光反射層３７1、３７2、３７3のそれぞれに発光部３０1，３０2，３０3に応じた電圧を印加した状態で陽極酸化を行う。これによって、厚さの異なる酸化膜から成る層間絶縁層３８1’，３８2’，３８3’を、一括して、光反射層３７の表面に形成することができる。光反射層３７1、３７2、３７3の厚さ、層間絶縁層３８1’，３８2’，３８3’の厚さは、発光部３０1，３０2，３０3において異なる。【０１５２】
第３例にあっては、光反射層３７の下に下地膜３９が配設されており、下地膜３９は、発光部３０1，３０2，３０3において、異なる厚さを有する。即ち、図示した例では、発光部３０1、発光部３０2、発光部３０3の順に、下地膜３９の厚さは厚い。【０１５３】
第４例にあっては、成膜時の光反射層３７1，３７2，３７3の厚さが、発光部３０1，３０2，３０3において異なる。第３例〜第４例では、発光部３０1，３０2，３０3において、第２界面は同じレベルとされる一方、第１界面のレベルは、発光部３０1，３０2，３０3において異なる。【０１５４】
第５例〜第６例においては、第１電極３１1，３１2，３１3の厚さが、発光部３０1，３０2，３０3において異なる。光反射層３７は各発光部３０において同じ厚さを有する。【０１５５】
第５例において、第１界面のレベルは、発光部３０1，３０2，３０3において同じである一方、第２界面のレベルは、発光部３０1，３０2，３０3において異なる。【０１５６】
第６例においては、光反射層３７の下に下地膜３９が配設されており、下地膜３９は、発光部３０1，３０2，３０3において、異なる厚さを有する。即ち、図示した例では、発光部３０1、発光部３０2、発光部３０3の順に、下地膜３９の厚さは厚い。第６例では、発光部３０1，３０2，３０3において、第２界面は同じレベルとされる一方、第１界面のレベルは、発光部３０1，３０2，３０3において異なる。【０１５７】
第７例において、第１電極３１1，３１2，３１3は光反射層を兼ねており、第１電極３１1，３１2，３１3を構成する材料の光学定数（具体的には、位相シフト量）が、発光部３０1，３０2，３０3において異なる。例えば、発光部３０1の第１電極３１1を銅（Ｃｕ）から構成し、発光部３０2の第１電極３１2と発光部３０3の第１電極３１3をアルミニウム（Ａｌ）から構成すればよい。【０１５８】
また、第８例において、第１電極３１1，３１2は光反射層を兼ねており、第１電極３１1，３１2を構成する材料の光学定数（具体的には、位相シフト量）が、発光部３０1，３０2において異なる。例えば、発光部３０1の第１電極３１1を銅（Ｃｕ）から構成し、発光部３０2の第１電極３１2と発光部３０3の第１電極３１3をアルミニウム（Ａｌ）から構成すればよい。第８例では、例えば、発光部３０1，３０2に第７例を適用し、発光部３０3に第１例を適用している。第１電極３１1，３１2，３１3の厚さは、異なっていてもよいし、同じであってよい。【０１５９】
尚、本開示は、以下のような構成を取ることもできる。
［Ａ０１］《表示装置》
発光部、及び、
発光部から出射された光が通過するレンズ部材、
を含む発光素子を、複数、備えた表示パネルを有する表示装置であって、
発光部の中心を通る法線とレンズ部材の中心を通る法線との間の距離をＤ0としたとき、表示パネルに備えられた発光素子の少なくとも一部において、距離Ｄ0の値は０でない表示装置。
［Ａ０２］基準点が想定されており、距離Ｄ0は基準点から発光部の中心を通る法線までの距離Ｄ1に依存する［Ａ０１］に記載の表示装置。
［Ａ０３］基準点は表示パネル内に想定されている［Ａ０１］又は［Ａ０２］に記載の表示装置。
［Ａ０４］基準点は、表示パネルの中心領域に位置していない［Ａ０３］に記載の表示装置。
［Ａ０５］複数の基準点が想定されている［Ａ０３］又は［Ａ０４］に記載の表示装置。
［Ａ０６］基準点が１つ想定されている場合、基準点は表示パネルの中心領域には含まれず、基準点が複数想定されている場合、少なくとも１つの基準点は表示パネルの中心領域には含まれない［Ａ０３］に記載の表示装置。
［Ａ０７］基準点は表示パネルの外側に想定されている［Ａ０１］又は［Ａ０２］に記載の表示装置。
［Ａ０８］複数の基準点が想定されている［Ａ０７］に記載の表示装置。
［Ａ０９］各発光素子から出射され、レンズ部材を通過した光は、表示装置の外部の空間の或る領域に収束する［Ａ０１］乃至［Ａ０８］のいずれか１項に記載の表示装置。
［Ａ１０］各発光素子から出射され、レンズ部材を通過した光は、表示装置の外部の空間において発散する［Ａ０１］乃至［Ａ０８］のいずれか１項に記載の表示装置。
［Ａ１１］各発光素子から出射され、レンズ部材を通過した光は、平行光である［Ａ０１］乃至［Ａ０６］のいずれか１項に記載の表示装置。
［Ａ１２］基準点が設定されており、
複数の発光素子は、第１の方向及び第１の方向とは異なる第２の方向に配列されており、
基準点から発光部の中心を通る法線までの距離をＤ1とし、距離Ｄ0の第１の方向及び第２の方向のそれぞれの値をＤ0-X，Ｄ0-Yとし、距離Ｄ1の第１の方向及び第２の方向のそれぞれの値をＤ1-X，Ｄ1-Yとしたとき、
Ｄ1-Xの変化に対してＤ0-Xは線形に変化し、Ｄ1-Yの変化に対してＤ0-Yは線形に変化し、又は、
Ｄ1-Xの変化に対してＤ0-Xは線形に変化し、Ｄ1-Yの変化に対してＤ0-Yは非線形に変化し、又は、
Ｄ1-Xの変化に対してＤ0-Xは非線形に変化し、Ｄ1-Yの変化に対してＤ0-Yは線形に変化し、又は、
Ｄ1-Xの変化に対してＤ0-Xは非線形に変化し、Ｄ1-Yの変化に対してＤ0-Yは非線形に変化する［Ａ０１］乃至［Ａ１１］のいずれか１項に記載の表示装置。
［Ａ１３］基準点が設定されており、
基準点から発光部の中心を通る法線までの距離をＤ1としたとき、距離Ｄ1の値が増加するに従い、距離Ｄ0の値が増加する［Ａ０１］乃至［Ａ１２］のいずれか１項に記載の表示装置。
［Ａ１４］レンズ部材の光入射側又は光出射側には、カラーフィルタ層が設けられている［Ａ０１］乃至［Ａ１３］のいずれか１項に記載の表示装置。
［Ａ１５］レンズ部材の正射影像は、カラーフィルタ層の正射影像と一致し、又は、カラーフィルタ層の正射影像に含まれる［Ａ１４］に記載の表示装置。
［Ａ１６］距離Ｄ0の値が０でない発光素子において、カラーフィルタ層の中心を通る法線と、発光部の中心を通る法線とは一致している［Ａ１４］又は［Ａ１５］に記載の表示装置。
［Ａ１７］距離Ｄ0の値が０でない発光素子において、カラーフィルタ層の中心を通る法線と、レンズ部材の中心を通る法線とは一致している［Ａ１４］又は［Ａ１５］に記載の表示装置。
［Ａ１８］レンズ部材の正射影像は、カラーフィルタ層の正射影像に含まれ、
距離Ｄ0の値が０でない発光素子において、カラーフィルタ層の中心を通る法線と、発光部の中心を通る法線とは一致している［Ａ１４］に記載の表示装置。
［Ａ１９］レンズ部材の正射影像は、カラーフィルタ層の正射影像に含まれ、
距離Ｄ0の値が０でない発光素子において、カラーフィルタ層の中心を通る法線と、レンズ部材の中心を通る法線とは一致している［Ａ１４］に記載の表示装置。
［Ａ２０］レンズ部材の正射影像は、カラーフィルタ層の正射影像と一致し、
距離Ｄ0の値が０でない発光素子において、カラーフィルタ層の中心を通る法線と、レンズ部材の中心を通る法線とは一致している［Ａ１４］に記載の表示装置。
［Ａ２１］隣接する発光素子のカラーフィルタ層の間には光吸収層が形成されている［Ａ１４］乃至［Ａ１７］のいずれか１項に記載の表示装置。
［Ａ２２］隣接するレンズ部材の間には光吸収層が形成されている［Ａ０１］乃至［Ａ２１］のいずれか１項に記載の表示装置。
［Ａ２３］発光素子に備えられた発光部は、有機エレクトロルミネッセンス層を含む［Ａ０１］乃至［Ａ２２］のいずれか１項に記載の表示装置。
【符号の説明】
【０１６０】
１０，１０Ｒ，１０Ｇ，１０Ｂ・・・発光素子、１１・・・第１基板、２０・・・トランジスタ、２１・・・ゲート電極、２２・・・ゲート絶縁層、２３・・・チャネル形成領域、２４・・・ソース／ドレイン領域、２５・・・素子分離領域、２６・・・基体、２７・・・コンタクトプラグ、２８・・・絶縁層、３０・・・発光部、３１・・・第１電極、３２・・・第２電極、３３・・・有機層、３４・・・保護層、３５・・・平坦化層、３５’・・・平坦化膜、３６・・・封止樹脂層、３７・・・光反射層、３８・・・層間絶縁層、３９・・・下地膜、４１・・・第２基板、５０・・・レンズ部材（オンチップマイクロレンズ）、６０・・・レンズ部材形成層、６１・・・レジスト材料層、ＣＦR，ＣＦG，ＣＦB・・・カラーフィルタ層、ＢＭ，ＢＭ’・・・ブラックマトリクス層
【図１】
2020111101.tif 000005
【図２】
2020111101.tif 000006
【図３】
2020111101.tif 000007
【図４】
2020111101.tif 000008
【図５】
2020111101.tif 000009
【図６】
2020111101.tif 000010
【図７】
2020111101.tif 000011
【図８】
2020111101.tif 000012
【図９】
2020111101.tif 000013
【図１０】
2020111101.tif 000014
【図１１】
2020111101.tif 000015
【図１２】
2020111101.tif 000016
【図１３】
2020111101.tif 000017
【図１４】
2020111101.tif 000018
【図１５】
2020111101.tif 000019
【図１６】
2020111101.tif 000020
【図１７】
2020111101.tif 000021
【図１８】
2020111101.tif 000022
【図１９】
2020111101.tif 000023
【図２０】
2020111101.tif 000024
【図２１】
2020111101.tif 000025
【図２２】
2020111101.tif 000026
【図２３】
2020111101.tif 000027
【図２４】
2020111101.tif 000028
【図２５】
2020111101.tif 000029
【図２６】
2020111101.tif 000030
【図２７】
2020111101.tif 000031
【図２８】
2020111101.tif 000032
【図２９】
2020111101.tif 000033
【図３０】
2020111101.tif 000034
【図３１】
2020111101.tif 000035
【図３２】
2020111101.tif 000036
【図３３】
2020111101.tif 000037
【図３４】
2020111101.tif 000038
【図３５】
2020111101.tif 000039
【図３６】
2020111101.tif 000040
【図３７】
2020111101.tif 000041
【国際調査報告】
2020111101.tif 000042
2020111101.tif 000043
2020111101.tif 000044
2020111101.tif 000045
2020111101.tif 000046
2020111101.tif 000047